(57)【要約】【課題】照明の稼働状態を有効に利用できる照明情報処理装置を提供する。【解決手段】１以上の照明装置３０の照明識別子と、この照明識別子がそれぞれ示す照明装置３０の稼働に関する稼働情報とを受信する受信部１０１と、１以上の照明装置３０についての照明識別子と、この照明識別子がそれぞれ示す照明装置３０の稼働情報とが対応付けて格納される格納部１０２と、受信部１０１が受信した照明識別子と、この照明識別子がそれぞれ示す照明装置３０の稼働情報とを対応付けて、格納部１０２に蓄積する蓄積部１０３と、格納部１０２に格納された稼働情報を用いて処理を行なう処理部１０８と、この処理結果を出力する出力部１１１とを備えた。【選択図】図１
2020077455.tif 000002
【特許請求の範囲】
【請求項１】
１または２以上の照明装置の照明識別子と、当該照明識別子がそれぞれ示す照明装置の稼働に関する稼働情報とを受信する受信部と、
１または２以上の照明装置についての照明識別子と、当該照明識別子がそれぞれ示す照明装置の稼働情報とが対応付けて格納される格納部と、
前記受信部が受信した照明識別子と、当該照明識別子がそれぞれ示す照明装置の稼働情報とを対応付けて、前記格納部に蓄積する蓄積部と、
前記格納部に格納された稼働情報を用いて処理を行なう処理部と、
前記処理部の処理結果を出力する出力部とを備えた照明情報処理装置。
【請求項２】
前記受信部は、１以上の端末装置から、当該端末装置が取得した１または２以上の照明装置の照明識別子と、当該照明識別子がそれぞれ示す照明装置の稼働に関する稼働情報とを受信する請求項１記載の照明情報処理装置。
【請求項３】
前記受信部は、１以上の端末装置から、当該端末装置の端末識別子と、当該端末装置が取得した１または２以上の照明装置の照明識別子と、当該照明識別子がそれぞれ示す照明装置の稼働に関する稼働情報とを受信し、
前記受信部が端末識別子と照明識別子と稼働情報とを受信した場合に、受信した端末識別子に対応付けられたユーザに対して、報奨を与える処理を行なう報奨処理部をさらに備えた請求項２記載の照明情報処理装置。
【請求項４】
前記受信部は、１または２以上の照明装置の照明識別子と、当該照明識別子が示す照明装置の稼働に関する稼働情報とを取得する情報取得装置から、照明識別子と稼働情報とを受信する請求項１記載の照明情報処理装置。
【請求項５】
前記情報取得装置に、照明識別子と稼働情報との送信を要求する送信要求指示を送信する指示送信部を更に備え、
前記受信部は、前記指示送信部が送信した送信要求指示に応じて前記情報取得装置が送信する照明識別子と稼働情報とを受信する請求項１記載の照明情報処理装置。
【請求項６】
前記処理部は、前記格納部に格納された１または２以上の照明装置についての稼働情報について統計処理を行なって、統計処理結果に関する情報を取得する処理を行ない、
前記出力部は、前記処理部が取得した統計処理結果に関する情報を出力する請求項１から請求項５いずれか一項記載の照明情報処理装置。
【請求項７】
１または２以上の照明識別子と、当該照明識別子がそれぞれ示す照明装置の設置場所の属性を示す場所属性情報とが対応付けて格納される照明属性格納部をさらに備え、
前記処理部は、前記稼働情報についての統計処理を、当該稼働情報に対応付けられた照明識別子が対応付けられている場所属性情報が示す設置場所の属性毎に行なう請求項６記載の照明情報処理装置。
【請求項８】
前記処理部は、前記統計処理結果に関する情報として、経済状況に関する情報を取得する請求項６または請求項７記載の照明情報処理装置。
【請求項９】
１または２以上の照明識別子と、当該照明識別子がそれぞれ示す照明装置を利用するユーザを見守る処理の結果の連絡先の情報とが対応付けて格納される見守り連絡先格納部を更に備え、
前記処理部は、前記見守り連絡先格納部に格納された照明識別子に対応付けられた稼働情報を用いて、当該照明識別子が示す照明装置を利用するユーザを見守る処理を行ない、
前記出力部は、前記処理部が行なう見守る処理の処理結果を、見守る処理に用いた稼働情報に対応する照明識別子に対応付けられて前記見守り連絡先格納部に格納された連絡先の情報が示す連絡先に出力する請求項１から請求項８いずれか一項記載の照明情報処理装置。
【請求項１０】
前記処理部は、前記格納部に格納された稼働情報を用いて、当該稼働情報に対応付けられた照明識別子が示す照明装置の故障を診断する処理を行ない、
前記出力部は、前記処理部が行なう故障を診断する処理の処理結果を出力する請求項１から請求項９いずれか一項記載の照明情報処理装置。
【請求項１１】
１または２以上の照明識別子と、当該照明識別子がそれぞれ示す照明装置の故障を診断する処理の結果の連絡先の情報とが対応付けられて格納される診断連絡先格納部を更に備え、
前記処理部は、前記診断連絡先格納部に格納された照明識別子と対応付けられた稼働情報を用いて、当該照明識別子が示す照明装置の故障を診断する処理を行ない、
前記出力部は、前記処理部が行なう故障を診断する処理の処理結果を、故障を診断した照明装置の照明識別子に対応付けられて前記診断連絡先格納部に格納された連絡先の情報が示す連絡先に出力する請求項１０記載の照明情報処理装置。
【請求項１２】
前記処理部は、前記格納部に格納された稼働情報を用いて、当該稼働情報に対応付けられた照明識別子が示す照明装置の電気料金を算出する処理を行ない、
前記出力部は、前記処理部が行なう電気料金を算出する処理の処理結果を出力する請求項１から請求項９いずれか一項記載の照明情報処理装置。
【請求項１３】
１または２以上の照明識別子と、当該照明識別子がそれぞれ示す照明装置の電気料金の連絡先の情報とが対応付けて格納される料金連絡先格納部を更に備え、
前記処理部は、前記連絡先格納部に格納された照明識別子に対応付けられた稼働情報を用いて、当該照明識別子が示す照明装置の電気料金を算出する処理を行ない、
前記出力部は、前記処理部が行なう電気料金を算出する処理の処理結果を、電気料金を算出した照明装置の照明識別子に対応付けられて前記料金連絡先格納部に格納された連絡先の情報が示す連絡先に出力する請求項１２記載の照明情報処理装置。
【請求項１４】
発光部と、
前記発光部の稼働に関する情報を取得する照明取得部と、
前記稼働取得部が取得した発光部の稼働に関する情報と、自装置の照明識別子とを送信する照明送信部とを備えた照明装置。
【請求項１５】
受信部と、１または２以上の照明装置についての照明識別子と、当該照明識別子がそれぞれ示す照明装置の稼働情報とが対応付けて格納される格納部と、蓄積部と、処理部と、出力部とを用いて行なわれる照明情報処理方法であって、
前記受信部が、１または２以上の照明装置の照明識別子と、当該照明識別子がそれぞれ示す照明装置の稼働に関する稼働情報とを受信する受信ステップと、
前記蓄積部が、前記受信ステップで受信した照明識別子と、当該照明識別子がそれぞれ示す照明装置の稼働情報とを対応付けて、前記格納部に蓄積する蓄積ステップと、
前記処理部が、前記格納部に格納された稼働情報を用いて処理を行なう処理ステップと、
前記出力部が、前記処理ステップの処理結果を出力する出力ステップとを備えた照明情報処理方法。
【請求項１６】
１または２以上の照明装置についての照明識別子と、当該照明識別子がそれぞれ示す照明装置の稼働情報とが対応付けて格納される格納部にアクセス可能なコンピュータを、
１または２以上の照明装置の照明識別子と、当該照明識別子がそれぞれ示す照明装置の稼働に関する稼働情報とを受信する受信部と、
前記受信部が受信した照明識別子と、当該照明識別子がそれぞれ示す照明装置の稼働情報とを対応付けて、前記格納部に蓄積する蓄積部と、
前記格納部に格納された稼働情報を用いて処理を行なう処理部と、
前記処理部の処理結果を出力する出力部として機能させるためのプログラム。
【発明の詳細な説明】
【技術分野】
【０００１】
本発明は、照明に関する情報を処理する装置等に関するものである。
【背景技術】
【０００２】
従来の技術として、調光信号を受信する受信部と、受信した調光信号に応じて調光制御を行なう調光制御部とを備えた調光制御装置を含む照明装置が知られていた。（例えば、特許文献１参照）。
【先行技術文献】
【特許文献】
【０００３】
【特許文献１】特開２００９−２３８５３９号公報（第１頁、第１図等）
【発明の概要】
【発明が解決しようとする課題】
【０００４】
しかしながら、従来の技術においては、照明の稼働状態を有効に利用することができない、という課題があった。
【０００５】
本発明は、上記のような課題を解消するためになされたものであり、照明の稼働状態を有効に利用できる照明情報処理装置等を提供することを目的とする。
【課題を解決するための手段】
【０００６】
本発明の照明情報処理装置は、１または２以上の照明装置の照明識別子と、当該照明識別子がそれぞれ示す照明装置の稼働に関する稼働情報とを受信する受信部と、１または２以上の照明装置についての照明識別子と、当該照明識別子がそれぞれ示す照明装置の稼働情報とが対応付けて格納される格納部と、前記受信部が受信した照明識別子と、当該照明識別子がそれぞれ示す照明装置の稼働情報とを対応付けて、前記格納部に蓄積する蓄積部と、前記格納部に格納された稼働情報を用いて処理を行なう処理部と、前記処理部の処理結果を出力する出力部とを備えた照明情報処理装置である。
【０００７】
かかる構成により、照明装置の稼働情報を格納部に蓄積し、蓄積した稼働情報を処理することにより、照明の稼働状態を有効に利用することができる。
【０００８】
また、本発明の照明情報処理装置は、前記照明情報処理装置において、前記受信部は、１以上の端末装置から、当該端末装置が取得した１または２以上の照明装置の照明識別子と、当該照明識別子がそれぞれ示す照明装置の稼働に関する稼働情報とを受信する照明情報処理装置である。
【０００９】
かかる構成により、端末装置から照明装置の稼働情報を取得することができ、稼働情報を照明装置から受信して送信するための装置を、新たに設ける必要がなく、例えば、簡易な構成で、照明稼働状態を有効に利用可能な状況を構築することができる。
【００１０】
また、本発明の照明情報処理装置は、前記照明情報処理装置において、前記受信部は、１以上の端末装置から、当該端末装置の端末識別子と、当該端末装置が取得した１または２以上の照明装置の照明識別子と、当該照明識別子がそれぞれ示す照明装置の稼働に関する稼働情報とを受信し、前記受信部が端末識別子と照明識別子と稼働情報とを受信した場合に、受信した端末識別子に対応付けられたユーザに対して、報奨を与える処理を行なう報奨処理部をさらに備えた照明情報処理装置である。
【００１１】
かかる構成により、報奨の提供によって、端末装置を有するユーザの協力を促すことができる。
【００１２】
また、本発明の照明情報処理装置は、前記照明情報処理装置において、前記受信部は、１または２以上の照明装置の照明識別子と、当該照明識別子が示す照明装置の稼働に関する稼働情報とを取得する情報取得装置から、照明識別子と稼働情報とを受信する照明情報処理装置である。
【００１３】
かかる構成により、情報取得装置から、稼働情報を受信することができ、例えば、複数の稼働情報を一括して受信することによって、受信を効率化できる。
【００１４】
また、本発明の照明情報処理装置は、前記照明情報処理装置において、前記情報取得装置に、照明識別子と稼働情報との送信を要求する送信要求指示を送信する指示送信部を更に備え、前記受信部は、前記指示送信部が送信した送信要求指示に応じて前記情報取得装置が送信する照明識別子と稼働情報とを受信する照明情報処理装置である。
【００１５】
かかる構成により、例えば、稼働情報が必要な場合に稼働情報を受信することができる。
【００１６】
また、本発明の照明情報処理装置は、前記照明情報処理装置において、前記処理部は、前記格納部に格納された１または２以上の照明装置についての稼働情報について統計処理を行なって、統計処理結果に関する情報を取得する処理を行ない、前記出力部は、前記処理部が取得した統計処理結果に関する情報を出力する照明情報処理装置である。
【００１７】
かかる構成により、照明装置の統計情報を得ることができる。
【００１８】
また、本発明の照明情報処理装置は、前記照明情報処理装置において、１または２以上の照明識別子と、当該照明識別子がそれぞれ示す照明装置の設置場所の属性を示す場所属性情報とが対応付けて格納される照明属性格納部をさらに備え、前記処理部は、前記稼働情報についての統計処理を、当該稼働情報に対応付けられた照明識別子が対応付けられている場所属性情報が示す設置場所の属性毎に行なう照明情報処理装置である。
【００１９】
かかる構成により、設置場所の属性毎の統計情報を取得することができる。
【００２０】
また、本発明の照明情報処理装置は、前記照明情報処理装置において、前記処理部は、前記統計処理結果に関する情報として、経済状況に関する情報を取得する照明情報処理装置である。
【００２１】
かかる構成により、経済状況に関する情報を取得することができる。
【００２２】
また、本発明の照明情報処理装置は、前記照明情報処理装置において、１または２以上の照明識別子と、当該照明識別子がそれぞれ示す照明装置を利用するユーザを見守る処理の結果の連絡先の情報とが対応付けて格納される見守り連絡先格納部を更に備え、前記処理部は、前記見守り連絡先格納部に格納された照明識別子に対応付けられた稼働情報を用いて、当該照明識別子が示す照明装置を利用するユーザを見守る処理を行ない、前記出力部は、前記処理部が行なう見守る処理の処理結果を、見守る処理に用いた稼働情報に対応する照明識別子に対応付けられて前記見守り連絡先格納部に格納された連絡先の情報が示す連絡先に出力する照明情報処理装置である。
【００２３】
かかる構成により、ユーザの見守りを行なうことができる。
【００２４】
また、本発明の照明情報処理装置は、前記照明情報処理装置において、前記処理部は、前記格納部に格納された稼働情報を用いて、当該稼働情報に対応付けられた照明識別子が示す照明装置の故障を診断する処理を行ない、前記出力部は、前記処理部が行なう故障を診断する処理の処理結果を出力する照明情報処理装置である。
【００２５】
かかる構成により、照明装置の故障を検出することができる。
【００２６】
また、本発明の照明情報処理装置は、前記照明情報処理装置において、１または２以上の照明識別子と、当該照明識別子がそれぞれ示す照明装置の故障を診断する処理の結果の連絡先の情報とが対応付けられて格納される診断連絡先格納部を更に備え、前記処理部は、前記診断連絡先格納部に格納された照明識別子と対応付けられた稼働情報を用いて、当該照明識別子が示す照明装置の故障を診断する処理を行ない、前記出力部は、前記処理部が行なう故障を診断する処理の処理結果を、故障を診断した照明装置の照明識別子に対応付けられて前記診断連絡先格納部に格納された連絡先の情報が示す連絡先に出力する照明情報処理装置である。
【００２７】
かかる構成により、照明装置の故障の検出結果を、照明装置に対応した連絡先に通知することができる。
【００２８】
また、本発明の照明情報処理装置は、前記照明情報処理装置において、前記処理部は、前記格納部に格納された稼働情報を用いて、当該稼働情報に対応付けられた照明識別子が示す照明装置の電気料金を算出する処理を行ない、前記出力部は、前記処理部が行なう電気料金を算出する処理の処理結果を出力する照明情報処理装置である。
【００２９】
かかる構成により、照明装置の電気料金を出力することができる。
【００３０】
また、本発明の照明情報処理装置は、前記照明情報処理装置において、１または２以上の照明識別子と、当該照明識別子がそれぞれ示す照明装置の電気料金の連絡先の情報とが対応付けて格納される料金連絡先格納部を更に備え、前記処理部は、前記連絡先格納部に格納された照明識別子に対応付けられた稼働情報を用いて、当該照明識別子が示す照明装置の電気料金を算出する処理を行ない、前記出力部は、前記処理部が行なう電気料金を算出する処理の処理結果を、電気料金を算出した照明装置の照明識別子に対応付けられて前記料金連絡先格納部に格納された連絡先の情報が示す連絡先に出力する照明情報処理装置である。
【００３１】
かかる構成により、照明装置の電気料金を、照明装置に対応した連絡先に通知することができる。
【００３２】
本発明の照明装置は、発光部と、前記発光部の稼働に関する情報を取得する照明取得部と、
前記稼働取得部が取得した発光部の稼働に関する情報と、自装置の照明識別子とを送信する照明送信部とを備えた照明装置である。
【００３３】
かかることにより、照明装置の稼働情報を送信することができ、稼働情報が利用可能となる。
【発明の効果】
【００３４】
本発明によれば、照明の稼働状態を有効に利用することができる。
【図面の簡単な説明】
【００３５】
【図１】本発明の実施の形態１における照明情報処理システムのブロック図
【図２】同照明情報処理システムの照明情報処理装置の動作を説明するためのフローチャートを示す図
【図３】同照明情報処理システムの概念図
【図４】同照明情報処理システムの照明情報処理装置の照明稼働管理表を示す図（図４（ａ））、この照明稼働管理表から取得したレコードを示す図（図４（ｂ））
【図５】同照明情報処理装置の報奨管理表を示す図（図５（ａ）、図５（ｂ））
【図６】同照明情報処理装置の点灯管理表を示す図
【図７】同照明情報処理装置の照明属性管理表を示す図
【図８】同照明情報処理装置の表示例を示す図
【図９】同照明情報処理装置の診断連絡先管理表を示す図
【図１０】同照明情報処理装置の見守り連絡先管理表を示す図
【図１１】同照明情報処理装置の点灯管理表を示す図
【図１２】本発明の実施の形態２における照明情報処理システムのブロック図
【図１３】同照明情報処理システムの照明情報処理装置の動作を説明するためのフローチャートを示す図
【図１４】本発明の各実施の形態におけるコンピュータシステムの外観の一例を示す図
【図１５】同コンピュータシステムの構成の一例を示す図
【発明を実施するための形態】
【００３６】
以下、照明情報処理装置等の実施形態について図面を参照して説明する。なお、実施の形態において同じ符号を付した構成要素は同様の動作を行うので、再度の説明を省略する場合がある。
【００３７】
（実施の形態１）
図１は、本実施の形態における照明情報処理システム１のブロック図である。
【００３８】
照明情報処理システム１は、照明情報処理装置１０と、１または２以上の端末装置２０と、１または２以上の照明装置３０とを備えている。ここでは、一例として２以上の端末装置２０を備えている場合について説明する。各端末装置２０は、例えば、同様の構成を有しているものとする。また、ここでは、一例として２以上の照明装置３０を備えている場合について説明する。各照明装置３０は、例えば、同様の構成を有しているものとする。
【００３９】
照明情報処理装置１０は、受信部１０１、格納部１０２、蓄積部１０３、照明属性格納部１０４、見守り連絡先格納部１０５、診断連絡先格納部１０６、料金連絡先格納部１０７、処理部１０８、報奨処理部１０９、報奨格納部１１０、および出力部１１１を備えている。
【００４０】
端末装置２０は、端末受信部２０１および端末送信部２０２を備えている。
【００４１】
照明装置３０は、発光部３０１、照明取得部３０２、および照明送信部３０３を備えている。
【００４２】
照明情報処理装置１０は、例えば、サーバ装置である。ただし、照明情報処理装置１０は、サーバ装置に限定されるものではない。照明情報処理装置１０は、例えば、コンピュータ等により実現可能である。
【００４３】
受信部１０１は、１または２以上の照明装置３０の照明識別子と、各照明識別子が示す照明装置３０の稼働情報とを受信する。例えば、受信部１０１は、照明識別子と、この照明識別子が示す照明装置３０の稼働情報との１または２以上の組を受信してもよく、照明識別子と、この照明識別子が示す照明装置３０の稼働情報とを有する１または２以上の情報を受信してもよい。
【００４４】
照明識別子は、照明装置３０の識別子である。照明識別子は、例えば、照明装置３０のＭＡＣアドレスや、ＩＰアドレス等のネットワーク上のアドレス情報や、照明装置３０の製造番号等や、照明装置３０に割当てられた文字列等のコードや、照明装置３０の名前等である。照明識別子は、照明装置３０が設置されている設置場所の識別子であっても良い。例えば、照明装置３０が設置されている建物や、建物内の部屋等の識別子であってもよい。建物の識別子は、建物の住所や座標等であってもよく、建物名や、建物の所有者や利用者の名前等であっても良い。
【００４５】
稼働情報は、照明装置３０の稼働に関する情報である。稼働情報は、例えば、照明装置３０の稼働状態を示す情報である。照明装置３０の稼働状態を示す情報は、例えば、照明装置３０が点灯した（すなわち点灯を開始した）ことを示す情報であっても良く、照明装置３０が消灯した（点灯を終了した）ことを示す情報であってもよい。また、照明装置３０の稼働状態を示す情報は、例えば、照明装置３０が点灯しているか消灯しているかを示す情報であってもよい。また、照明装置３０の稼働状態を示す情報は、例えば、照明装置３０による照明の明るさを示す情報であっても良い。照明装置３０の照明の明るさを示す情報は、照明装置３０の調光レベルを示す情報や、発光強度や、明るさの段階や、照度等を示す情報であっても良い。また、照明装置３０の稼働状態を示す情報は、照明装置３０の単位時間当たりの消費電力や、照明装置３０に流れる電流の値等であっても良い。また、照明装置３０が複数の光源を有する場合、照明装置３０の稼働状態を示す情報は、複数の光源のうちの、発光している数を示す情報や、発光している光源の配置パターン等を示す情報であってもよい。また、照明装置３０が発光色を変更可能な発光部を有する場合、稼働情報は、発光色を示す情報であっても良い。
【００４６】
受信部１０１は、例えば、１または２以上の照明装置３０がそれぞれ送信する照明識別子と稼働情報とを、直接または間接的に受信する。例えば、受信部１０１は、各照明装置３０から、他の特定の装置等を介さずに、ネットワーク等を経由して、直接照明識別子と稼働情報とを受信しても良い。この実施の形態においては、受信部１０１が、１または２以上の端末装置２０から照明識別子と稼働情報とを受信する場合について説明する。例えば、受信部１０１が、１または２以上の端末装置２０が１または２以上の照明装置３０から受信した照明識別子と稼働情報とを、端末装置２０から受信する場合について説明する。
【００４７】
受信部１０１は、例えば、１また２以上の端末装置２０から、それぞれ、端末装置２０の端末識別子と、端末装置２０が取得した１または２以上の照明装置３０の照明識別子と、この照明識別子が示す照明装置３０の稼働情報とを受信する。受信部１０１は、例えば、１または２以上の端末装置２０から、端末識別子と、照明識別子と、稼働情報との１または２以上の組を受信する。端末識別子は、端末装置２０の識別子である。端末識別子は、例えば、端末装置２０に割当てられた数字や記号等により構成されるコードや、端末装置２０のネットワーク上のアドレス情報や、端末装置２０の製造番号や、端末装置２０に対応するメールアドレスや、ユーザアカウントであっても良く、端末装置２０が携帯電話である場合、端末装置２０の電話番号であっても良い。また、端末識別子は、端末装置２０を利用するユーザのユーザ識別子であっても良い。なお、受信部１０１が、どのようにして、照明識別子と稼働情報とを受信するかは問わない。
【００４８】
受信部１０１は、照明識別子と稼働情報とに加えて、さらに、稼働情報の取得時を示す取得時情報を受信しても良い。ここでの取得時情報は、稼働情報を取得した時刻であっても良く、稼働情報を取得した日付であっても良く、稼働情報を取得した日時であっても良い。なお、取得時情報を受信する代わりに、受信部１０１は、照明識別子と、稼働情報とを受信した時点を示す情報を、図示しない時計等から取得しても良く、ここで取得した時点を示す情報を取得時情報と考えるようにしてもよい。
【００４９】
以下、本実施の形態においては、受信部１０１が、照明識別子と、この照明識別子が示す照明装置３０の稼働情報と、この稼働情報の取得時を示す取得時情報とを有する１または２以上の組を受信する場合について説明を行なう。なお、以下、照明識別子と、この照明識別子が示す照明装置３０の稼働情報と、この稼働情報の取得時を示す取得時情報との組を稼働照明情報と呼ぶ。
【００５０】
受信部１０１は、例えば、１または２以上の端末装置２０が送信する照明識別子および稼働情報等を順次受信する。例えば、受信部１０１は、１または２以上の照明装置３０について異なる時刻に取得された稼働情報と、この１または２以上の照明装置の照明識別子との複数の組を受信する。一の照明装置について異なる時刻に取得された稼働情報は、例えば、１の照明装置の稼働状態に変化があった場合に取得された稼働情報である。また、一の照明装置について異なる時刻に取得された稼働情報は、例えば、一の照明について特定の時刻や、一定または不定の時間間隔ごとに取得された稼働情報であってもよい。受信部１０１は、更に、各稼働情報が取得された時刻を示す取得時情報を、照明識別子と稼働情報とに加えて受信しても良い。例えば、受信部１０１は、１または２以上の照明識別子と、各照明識別子が示す照明装置３０について異なる時刻に取得された複数の稼働情報と、各稼働情報を取得した時刻を示す複数の取得時情報とを受信しても良い。受信部１０１は、例えば、照明識別子が同じで、取得時情報が異なる複数の稼働照明情報を受信しても良い。なお、受信部１０１が、照明識別子および稼働情報等を受信するタイミングやトリガー等は問わない。
【００５１】
受信部１０１は、通常、無線または有線の通信手段で実現される。例えば、受信部１０１は、ＷｉＦｉやＢｌｕｅｔｏｏｔｈ（登録商標）等の無線通信により端末装置２０から照明稼働情報を受信する。ただし、受信部１０１は、有線通信により、端末装置２０から照明稼働情報を受信してもよい。受信部１０１は、通信デバイスを含むと考えても、含まないと考えても良い。なお、かかることは、以下の他の受信部においても同様である。
【００５２】
格納部１０２には、１または２以上の照明装置についての照明識別子と、各照明識別子が示す照明装置３０の稼働情報とが対応付けて格納される。例えば、格納部１０２には、照明識別子と、この照明識別子が示す照明装置３０の稼働情報との１または２以上の組が格納される。例えば、格納部１０２には、照明識別子と、この照明識別子が示す照明装置３０の稼働情報とを有する１または２以上の情報が格納される。
【００５３】
格納部１０２には、照明識別子と稼働情報とに対して、さらに、この稼働情報の取得時を示す取得時情報が対応付けられて格納されてもよい。例えば、格納部１０２には、照明識別子と、この照明識別子が示す照明装置３０の稼働情報と、この稼働情報の取得時を示す取得時情報とを有する照明稼働情報が格納されてもよい。本実施の形態においては、格納部１０２には、受信部１０１が受信した１または２以上の照明稼働情報が格納される場合を例に挙げて説明する。
【００５４】
なお、受信部１０１が端末識別子に対応付けられた照明識別子と稼働情報とを受信する場合、格納部１０２には、照明識別子と、稼働情報と、端末識別子が対応付けられて格納されるようにしても良く、格納しないようにしても良い。
【００５５】
格納部１０２は、不揮発性の記録媒体が好適であるが、揮発性の記録媒体でも実現可能である。かかることは、以下の他の格納部においても同様である。
【００５６】
蓄積部１０３は、受信部１０１が受信した照明識別子と、この照明識別子がそれぞれ示す照明装置３０の稼働情報とを対応付けて、格納部１０２に蓄積する。蓄積部１０３は、例えば、受信部１０１が受信した照明識別子と、稼働情報との１以上の組を、格納部１０２に蓄積する。蓄積部１０３は、受信部１０１が受信した照明識別子と稼働情報とに対して、さらに、受信部１０１が受信または取得したこの稼働情報の取得時を示す取得時情報を対応付けて蓄積してもよい。なお、受信部１０１が、取得時情報を受信または取得していない場合、蓄積部１０３は、受信部１０１が受信した照明識別子と稼働情報とを格納部１０２に蓄積する際の蓄積時を示す情報を、取得時情報として図示しない時計等から取得して、照明識別子と稼働情報とに対応付けて蓄積しても良い。本実施の形態においては、蓄積部１０３が、受信部１０１が受信した照明識別子と、稼働情報と、取得時情報とを有する１または２以上の照明稼働情報を格納部１０２に蓄積する場合を例に挙げて説明する。
【００５７】
なお、受信部１０１が端末識別子に対応付けられた照明識別子と稼働情報とを受信する場合、蓄積部１０３は、受信部１０１が受信した照明識別子と、稼働情報と、これらに対応付けられた端末識別子と、を対応付けて格納部１０２に蓄積するようにしても良く、蓄積しなくても良い。
【００５８】
照明属性格納部１０４には、１または２以上の照明識別子と、各照明識別子が示す照明装置３０の場所属性情報とが対応付けて格納される。場所属性情報は、照明装置３０の設置場所の属性を示す情報である。場所属性情報は、照明装置３０の設置場所の所在地や用途や種類等を示す属性の情報であっても良く、照明装置３０の設置場所を利用しているユーザの属性を示す情報であっても良い。例えば、場所属性情報が示す属性は、照明装置３０が設置されている場所の地域や領域等であっても良い。また、例えば、場所属性情報が示す属性は、照明装置３０が設置されている場所を利用する企業の業種や、場所を利用するユーザの職種、場所を利用するユーザの部門等であっても良い。企業の業種は、例えば、製造業、小売業等である。また、ユーザの職種は、営業職、研究職、事務職等である。また、ユーザの部門は、例えば、営業部門、管理部門、人事部門、研究部門等である。ただし、これらの呼び名等は問わない。また、例えば、場所属性情報が示す属性は、照明装置３０が設置されている場所を利用するユーザの年齢層や、性別、職種等であっても良い。場所属性情報が示す属性は、照明装置３０が設置されている建物の構造の種類（木造、鉄筋コンクリート造等）であってもよく、建物の種類（事務所、工場、店舗等）であってもよく、建物内の照明装置３０が設置されている階の階数等であっても良い。また、場所属性情報は、上記の属性の２以上を示す情報を有していても良い。
【００５９】
見守り連絡先格納部１０５には、１または２以上の照明識別子と、各照明識別子が示す照明装置を利用するユーザを見守る処理の結果の連絡先の情報とが対応付けて格納される。見守り連絡先格納部１０５に格納されている照明識別子は、見守り対象となるユーザが利用する照明装置３０の照明識別子である。一の連絡先の情報に対応する見守り対象のユーザは、１人であっても良く複数人であっても良い。なお、同じ連絡先の情報と対応付けられている２以上の照明識別子は、見守り対象となる一のユーザが利用する２以上の照明装置３０の照明識別子であってもよい。また、一の照明識別子には、複数の連絡先の情報が対応付けられていても良い。ユーザが利用する照明装置３０は、例えば、ユーザが居住する家屋や、部屋等に設置されている照明装置である。ここでのユーザは一人であっても良く、複数人であっても良い。見守る処理については、後述する。連絡先は、例えば、連絡先のユーザである。連絡先の情報は、例えば、連絡先のメールアドレスや、ショートメッセージ等のアカウント、電話番号、ファクシミリ番号、住所等である。一の照明識別子に対して複数の連絡先の情報が対応付けられていても良い。ここでは、この連絡先の情報を、見守り連絡先情報と呼ぶ。
【００６０】
診断連絡先格納部１０６には、１または２以上の照明識別子と、各照明識別子が示す照明装置の故障を診断する処理の結果の連絡先の情報とが対応付けて格納される。一の照明識別子には、複数の連絡先の情報が対応付けられていても良い。照明装置の故障を診断する処理については、後述する。ここでは、この連絡先の情報を、診断連絡先情報と呼ぶ。この診断連絡先情報は、見守り連絡先情報と同様であるため、ここでは詳細な説明は省略する。
【００６１】
料金連絡先格納部１０７には、１または２以上の照明識別子と、各照明識別子が示す照明装置の電気料金の連絡先の情報とが対応付けて格納される。また、一の照明識別子には、複数の連絡先の情報が対応付けられていても良い。ここでは、この連絡先の情報を、料金連絡先情報と呼ぶ。この診断連絡先情報は、見守り連絡先情報と同様であるため、ここでは詳細な説明は省略する。
【００６２】
処理部１０８は、格納部１０２に格納された稼働情報を用いて処理を行なう。例えば、処理部１０８は、稼働情報を用いた処理として、格納部１０２に格納された１または２以上の照明装置３０の稼働情報について統計処理を行なって統計処理の結果に関する情報を取得する処理を行なう。ここでの統計処理は、例えば、複数の照明識別子に対応付けられた稼働情報を用いて行なわれる統計処理である。例えば、ここでの統計処理は、複数の照明識別子と対応付けられた稼働情報を用いて行なわれる複数の照明装置３０の１日の点灯時間の平均値や中間値等の代表値を取得する処理である。例えば、ここでの統計処理は、複数の照明識別子と対応付けられた稼働情報を用いて行なわれる異なる時間帯毎の点灯している照明装置３０の数や比率を取得する処理や、異なる時間帯毎の消灯している照明装置３０の数や比率を取得する処理であってもよく、最も多くの照明装置３０が点灯している時間帯等を取得する処理であっても良い。点灯している照明装置３０の数は、例えば、母集団となる照明識別子のうちの、点灯していることを示す稼働情報と対応付けられた照明識別子の数をカウントすれば良く、点灯している照明装置３０の比率は、このカウント数を、母数となる照明識別子の数で除算することで取得可能である。また、例えば、点灯していることを示す稼働情報と対応付けられた照明識別子の数を、対応する取得時情報が示す時刻に対応する時間帯（例えば、時刻が含まれる時間帯）毎にカウントすれば、時間帯毎に点灯している照明装置３０の数を取得することができる。かかることは、消灯している照明装置数についても同様である。なお、処理部１０８は、一の時間帯に照明装置３０が点灯しているか否かをどのように判断しても良い。
【００６３】
また、ここでの統計処理は、例えば、照明識別子毎に対応付けられた稼働情報を用いて、照明装置３０毎に個別に行なわれる統計処理であっても良い。ここでの統計処理は、例えば、稼働情報を用いて、照明装置３０毎に、予め決められた期間（例えば一ヶ月）内における、異なる時間帯毎の照明が点灯している回数を示す情報を取得する処理であっても良く、予め決められた期間内における照明装置３０毎の１日の点灯時間の平均値等の代表値を取得する処理であっても良い。また、予め決められた期間内における照明装置３０毎の、点灯していることが多い（あるいは少ない）時間帯を取得する処理であってもよい。一の照明識別子に対応する点灯している回数や時間の長さは、例えば、一の照明識別子に対応付けられた点灯していることを示す稼働情報の数をカウントすれば良く、一の照明識別子に対応する照明装置３０が点灯している時間の長さは、例えば、一の照明識別子に対応付けられた点灯していることを示す稼働情報に対応する取得時情報から取得される点灯している時間（例えば、点灯開始の時刻から消灯の時刻までの時間等）を累積すればよい。
【００６４】
また、ここでの統計処理は、照明識別子と対応付けられた稼働情報の数を、照明識別子毎に集計する処理であっても良い。また、ここでの統計処理は、稼働情報を用いて、現在、点灯している照明装置３０の数や比率を取得する処理であっても良い。
【００６５】
なお、期間や時間や時刻に関して統計処理を行なう場合、取得時の時刻の情報と対応付けられた稼働情報を統計処理に用いることが好ましいため、取得時情報と対応付けられた稼働情報が格納部１０２に格納されるようにすることが好ましい。
【００６６】
また、処理部１０８は、一の時刻や一の時間内に照明装置３０が点灯しているか否かをどのように判断しても良い。例えば、一の時刻の直前の時刻を示す取得時情報と対応付けられた、照明の点灯が開始されたことを示す稼働情報が格納されている場合に、この稼働情報に対応付けられた照明識別子が示す照明装置３０が、この一の時間帯内に点灯していると判断するようにしても良い。例えば、一の時間帯内の時刻を示す取得時情報と対応付けられた稼働情報であって、照明の点灯が開始したことを示す稼働情報、または照明が消灯したことを示す稼働情報が、格納部１０２に格納されている場合、この稼働情報に対応付けられた照明識別子が示す照明装置３０が、この一の時間帯内に点灯していると判断するようにしても良い。また、例えば、一の照明識別子と対応付けられた稼働情報であって、一の時間帯内の時刻を示す取得時情報と対応付けられた照明の点灯が開始したことを示す稼働情報、および一の時間帯内の時刻を示す取得時情報と対応付けられた照明が消灯したことを示す稼働情報が、格納部１０２に格納されていない場合であって、この一の照明識別子と対応付けられたこの一の時間帯よりも前の、この一の時間帯に最も近い時刻を示す取得時情報と対応付けられた稼働情報が、点灯を開始したことを示す稼働情報である場合に、処理部１０８は、この一の照明識別子が示す照明装置３０が、この一の時間帯に点灯していると判断するようにしても良い。また、例えば、一の時間帯内の時刻を示す取得時情報と対応付けられた照明が点灯していることを示す稼働情報であって、一の照明識別子と対応付けられた稼働情報が、格納部１０２に１または２以上の予め決められた数以上、格納されている場合に、処理部１０８は、一の時間帯に照明装置３０が点灯していると判断しても良い。
【００６７】
なお、上記の統計処理において、点灯している照明装置３０が、照明パターンや色が変更可能なものである場合であって、稼働情報が、点灯時の照明パターンや色の情報を有している場合、処理部１０８は、点灯している照明装置３０の数や比率、時間帯等の代わりに、点灯している照明装置３０の、照明パターン別の数や比率、時間帯等や、照明の色別の数や比率、時間帯等の、照明の属性別の統計処理を行なうようにしても良い。例えば、処理部１０８は、複数の照明装置３０についての、照明の色毎の点灯時間の平均値を取得しても良い。
【００６８】
なお、処理部１０８は、稼働情報についての統計処理を、稼働情報に対応する照明装置３０の設置場所の属性毎に行なうようにしてもよい。例えば、処理部１０８は、照明属性格納部１０４に対応付けて格納される照明識別子と場所属性情報とによって、この稼働情報に対応付けられた照明識別子と対応付けられている場所属性情報が示す設置場所の属性毎に稼働情報についての統計処理を、行なうようにしてもよい。統計処理を設置場所の属性毎に行なう、ということは、例えば、対応する場所属性情報が示す設置場所の属性が同じである（あるいは、設置場所の属性が同じグループに属する）照明識別子と対応付けられた稼働情報毎に、統計処理を行なうことである。例えば、設置場所の属性が、設置されている場所を利用するユーザの部門である場合、処理部１０８は、場所属性情報が示す設置場所の属性であるユーザの部門毎に、稼働情報についての統計処理を行なってもよい。例えば、処理部１０８は、対応する場所属性情報が一致する照明識別子に対応付けられた稼働情報毎に統計処理を行なうことで、処理部１０８は、照明が設置されている場所を利用するユーザの部門や部署毎に統計処理の結果に関する情報を得ることができる。また、場所属性情報が示す設置場所の属性が、設置場所の建物の種類を示す情報である場合、処理部１０８は、場所属性情報が示す設置場所の属性である建物の種類（例えば、事務所、工場等）毎に、稼働情報についての統計処理を行なうことで、照明が設置されている建物の種類毎に統計処理の結果に関する情報を得ることができる。
【００６９】
例えば、処理部１０８は、照明属性格納部１０４に場所属性情報と対応付けて格納されている照明識別子から、同じ場所属性識別子と対応付けられた照明識別子をそれぞれ取得し、同じ場所属性識別子について取得した照明識別子毎に、照明識別子と対応付けられた稼働情報を用いて予め決められた統計処理を行なって統計処理の結果に関する情報を取得する。
【００７０】
なお、処理部１０８が取得する上記の統計処理の結果に関する情報は、統計処理の結果そのものであっても良く、統計処理の結果に応じて取得される情報であっても良い。統計処理の結果は、例えば、統計処理の結果を示す値である。統計処理の結果に応じて取得される情報は、例えば、１または２以上の統計処理の結果が予め決められたルール等を満たすか否かに応じて取得される情報であっても良く、統計処理の結果を予め決められたルール等に応じて変換した情報であっても良い。予め決められたルール等を満たすか否かに応じて取得される情報は、例えば、予め決められた条件を満たすか否かに応じて取得される情報であっても良い。
【００７１】
ここでの統計処理の結果に応じて取得される情報が、どのような情報であるかは問わない。統計処理の結果に応じて取得される情報は、例えば、「長い」、「短い」、「普通」等の点灯時間の長さを示す文字列や画像等であっても良い。また、処理部１０８は、統計処理の結果に応じて取得される情報をどのように取得するかは問わない。例えば、処理部１０８は、統計処理の結果を示す値に対応した２以上の異なる値の範囲と、このそれぞれの値の範囲に対して、予め決められた統計処理の結果に関する情報とを対応付けた情報を図示しない格納部等に予め蓄積しておくようにし、この格納部に格納された情報から、統計処理の結果を示す値が含まれる値の範囲に対応する統計処理の結果に関する情報を処理部１０８が取得するようにしても良い。
【００７２】
処理部１０８は、例えば、統計処理結果に関する情報として、経済状況に関する情報を取得してもよい。例えば、処理部１０８は、予め決められた一以上の照明装置３０の１日当たりの点灯時間の平均値を、統計処理を行なって取得し、この平均値が閾値以上である場合に、経済状況が好調であることを示す情報を、経済状況に関する情報として取得してもよい。この場合、閾値未満である場合には、経済状況が好調でないことを示す情報を取得するようにしても良い。例えば、処理部１０８は、予め決められた地域内の複数の位置に取付けられている複数の照明装置３０の１日当たりの点灯時間の平均値を取得し、この平均値が閾値以上である場合に、この地域の経済状況が好調であることを示す情報を取得しても良い。また、処理部１０８は、予め決められた一の企業が利用する建築物に取付けられている１または二以上の照明装置３０の１日当たりの点灯時間の平均値を取得し、この平均値が閾値以上である場合に、この企業の経済状況が好調であることを示す情報を取得しても良い。
【００７３】
なお、処理部１０８が行なう統計処理は、上記の統計処理に限定されるものではない。また、処理部１０８が取得する統計処理の結果は、上記の統計処理の結果に限定されるものではない。
【００７４】
処理部１０８は、見守り連絡先格納部１０５に格納された照明識別子に対応付けられた稼働情報を用いて、この照明識別子が示す照明装置を利用するユーザを見守る処理を行なってもよい。ユーザを見守る処理とは、例えば、ユーザが正常な状態にあるか否かについて注意を払う処理である。正常な状態とは、例えば、安全な状態や、健康な状態、異常ではない状態である。ユーザを見守る処理は、例えば、ユーザが正常な状態であるか否かを検出する処理である。見守り対象となるユーザは、例えば、高齢者等である。見守り対象となるユーザは、例えば、見守り連絡先格納部１０５に格納されている１または２以上の照明識別子が示す照明装置３０を利用するユーザである。
【００７５】
例えば、処理部１０８は、見守り連絡先格納部１０５に格納されている一の見守り連絡先情報と対応付けられた照明識別子について、この照明識別子に対応付けられた稼働情報を用いて、予め決められた時間毎にこの照明識別子が示す照明装置３０の稼働の状況に変化が生じたか否かを判断し、変化が生じた場合に、この照明識別子が示す照明装置３０を利用するユーザが正常な状態であると判断する。また、一の見守り連絡先情報と対応付けられた照明識別子が示す照明装置３０について、稼働の状況に変化が生じていないと判断された時間が、１以上、好ましくは２以上の予め決められた回数以上連続した場合に、この照明装置３０を利用するユーザが正常な状態でないと判断しても良い。あるいは、上記の稼働の状況の変化が生じたかを判断する予め決められた時間よりも長い予め決められた時間内に、稼働の状況の変化が生じたか否かを判断し、生じた場合にユーザが正常な状態でないと判断しても良い。処理部１０８は、例えば、上記の処理を、見守り連絡先格納部１０５に格納されている１以上の見守り連絡先情報とそれぞれ対応付けられた照明識別子について行なう。
【００７６】
なお、一の見守り連絡先情報に対して複数の照明識別子が対応付けられて見守り連絡先格納部１０５に格納されている場合、処理部１０８は、一の見守り連絡先情報に対応付けられた複数の照明識別子のうちの１以上の照明識別子に対応する稼働情報が示す稼働の状況に変化が生じたか否かを判断し、変化が生じている場合に、この複数の照明識別子を利用するユーザが正常な状態にあると判断しても良い。例えば、処理部１０８は、見守り連絡先格納部１０５に格納されている同じ見守り連絡先情報と対応付けられた１または２以上の照明識別子毎に、各照明識別子にそれぞれ対応付けられた稼働情報を用いて、予め決められた時間毎に、この１または２以上の照明識別子が示す照明装置３０の稼働の状況に変化が生じたか否かを判断し、いずれか１つに変化が生じた場合に、この１または２以上の照明装置３０を利用するユーザが正常な状態であると判断する。また、一の見守り連絡先情報と対応付けられた１または２以上の照明装置３０について、稼働の状況に変化が生じていないと判断された時間が、１以上、好ましくは２以上の予め決められた回数以上連続した場合に、この１または２以上の照明装置３０を利用するユーザが正常な状態でないと判断しても良い。
【００７７】
なお、稼働の状況の変化は、例えば、点灯している状態から、消灯している状態への変化や、その逆の変化である。例えば、処理部１０８は、点灯したことを示す稼働情報または消灯したことを示す稼働情報がある場合、稼働の状況が変化したと判断してもよい。また、一の時間帯に点灯していることを示す稼働情報と、消灯していることを示す稼働情報の両方がある場合に、稼働の状況が変化したと判断しても良い。
【００７８】
なお、予め決められた時間毎に稼働情報が示す稼働の状況に変化が生じたか否かを判断する処理は、例えば、格納部１０２に格納されている稼働情報のうちの、予め決められた時間内の時刻を示す取得時情報と対応付けられた稼働情報が示す稼働状況に変化が生じたか否かを判断する処理と考えてよい。かかることは、以下の照明装置３０の故障を診断する処理においても同様である。
【００７９】
処理部１０８は、見守りの処理を、予め決められた時間帯についてのみ行なうようにしてもよく、予め決められた時間帯には行なわないようにしてもよい。例えば、見守りの処理は、深夜の時間帯等を除外した時間帯に行なうようにしても良く、照明装置３０を利用する見守りの対象のユーザが通常外出している時間帯を除外するようにしてもよい。ただし、処理部１０８が見守りの処理を行なう時間帯等は問わない。なお、処理部１０８が行なう見守りの処理は、上記の処理に限定されるものではない。
【００８０】
処理部１０８は、格納部１０２に格納された１または２以上の稼働情報を用いて、各稼働情報に対応付けられた照明識別子が示す照明装置の故障を診断する処理を行なっても良い。故障を診断する処理とは、例えば、照明装置３０の点灯が可能であるか否かを診断する処理であってもよく、照明装置３０の消灯が可能であるか否かを診断する処理であってもよい。
【００８１】
例えば、処理部１０８は、１または２以上の照明識別子について、それぞれ、照明識別子と対応付けられた稼働情報であって、照明装置３０が点灯したことを示す稼働情報や、点灯していることを示す稼働情報を、受信部１０１が、現在の時間までの予め決められた期間内に受信しているか否かを判断し、点灯していることを示す稼働情報を受信していない照明識別子が示す照明装置３０を故障していると判断し、点灯していることを示す稼働情報を受信している照明識別子が示す照明装置３０を故障していないと判断する。なお、この場合、一の照明識別子と対応付けられた照明装置３０が点灯していることを示す稼働情報を、現在の時刻までの予め決められた時間内に受信しなかった場合であっても、最後に照明装置３０を点灯したことを示す稼働情報を受信した以降、照明装置３０が消灯していることを示す稼働情報および消灯したことを示す稼働情報を受信していない場合には、一の照明識別子と対応付けられた照明装置３０が故障していないと判断しても良い。この場合の予め決められた期間の長さは問わない。なお、上記で点灯していることを示す稼働情報を受信しているかを判断する代わりに、上述したような稼働の状態が変化していることを示す１または２以上の稼働情報を受信しているか否かを判断し、稼働の状態が変化していることを示す稼働情報を受信しているか否かによって、故障していると診断しても良い。例えば、稼働の状態が変化していることを示す稼働情報を受信していない場合、故障していると判断しても良い。
【００８２】
処理部１０８は、例えば、診断連絡先格納部１０６に格納された照明識別子に対応付けられた稼働情報を用いて、この照明識別子が示す照明装置３０の故障を診断する処理を行なってもよい。ここでの故障を診断する処理は、例えば、上記と同様の処理である。診断対象となる照明装置３０は、例えば、診断連絡先格納部１０６に格納されている１または２以上の照明識別子が示す照明装置３０である。例えば、処理部１０８は、診断連絡先格納部１０６に格納されている照明識別子毎に、各照明識別子と対応付けられた稼働情報であって、照明装置３０が点灯したことを示す稼働情報や、点灯していることを示す稼働情報を、受信部１０１が、現在の時間までの予め決められた期間内に受信しているか否かを判断し、点灯していることを示す稼働情報を受信していない照明識別子が示す照明装置３０を故障していると判断し、点灯していることを示す稼働情報を受信している照明識別子が示す照明装置３０を故障していないと判断しても良い。
【００８３】
なお、処理部１０８は、故障を診断する処理を、予め決められた時間帯についてのみ行なうようにしてもよく、予め決められた時間帯には行なわないようにしてもよい。ここでの故障を判断する処理は、通常、ユーザが照明を点灯する期間内に行なわれることが好ましい。例えば、一の照明識別子と対応付けられた照明装置３０の設置場所が、企業の建物内である場合、この故障を判断する処理は、例えば、企業の勤務時間内であることが好ましいただし、故障を診断する処理を行なう時間帯等は問わない。なお、処理部１０８が行なう故障を診断する処理は、上記の処理に限定されるものではない。
【００８４】
処理部１０８は、格納部１０２に格納された１またや２以上の稼働情報を用いて、各稼働情報に対応付けられた照明識別子が示す照明装置３０の電気料金を算出する処理を行なうようにしてもよい。電気料金を算出する処理とは、例えば、照明装置３０の点灯時間と、照明装置３０の単位時間当たりの消費電力と、単位消費電力当たりの電気料金から、予め決められた期間の電気料金を算出する処理である。単位時間当たりの消費電力は、例えば、照明識別子と対応付けて、予め、図示しない格納部や後述する料金連絡先格納部１０７等に蓄積しておくようにしてもよく、稼働情報が有しているようにしてもよい。
【００８５】
例えば、処理部１０８は、格納部１０２に対応付けて格納されている照明識別子と、稼働情報と、取得時情報とを用いて、１または２以上の照明識別子について、それぞれ、予め決められた期間内の、対応する照明装置３０が点灯している時間を取得し、取得した時間に、単位時間当たりの消費電力と、単位消費電力当たりの電気料金とを乗算して、各照明識別子が示す照明装置３０について電気料金を取得する。照明装置３０が点灯している時間は、例えば、上述した稼働情報についての統計処理と同様の処理を行なうことにより取得可能である。ここでの予め決められた期間は、例えば、予め開始時と終了時とが指定された期間であっても良く、予め決められた時点から、現在までの期間であっても良く、現在までの予め決められた長さの期間であっても良い。なお、照明装置３０の明るさ等を変更することによって、照明装置３０の消費電力が可変である場合、稼働情報が明るさを示す情報や、消費電力の値を有するようにし、この情報を用いて、処理部１０８が、一の照明装置３０について消費電力毎に点灯時間を取得して、消費電力毎の点灯時間から、予め決められた期間内の消費電力の合計を取得するようにしても良い。なお、上記の照明装置３０の単位時間当たりの消費電力と、単位消費電力当たりの電気料金の代わりに、照明装置３０の単位時間当たりの電気料金を用いるようにしてもよい。この場合、この電気料金を、照明装置３０が点灯している時間に乗算して電気料金を取得すればよい。
【００８６】
電気料金の算出対象となる照明装置３０は、例えば、料金連絡先格納部１０７に格納されている１または２以上の照明識別子が示す照明装置３０である。例えば、処理部１０８は、格納部１０２に対応付けて格納されている照明識別子と、稼働情報と、取得時情報とを用いて、料金連絡先格納部１０７に格納された照明識別子毎に、予め決められた期間内の、対応する照明装置３０が点灯している時間を取得し、取得した時間に、単位時間当たりの消費電力と、単位消費電力当たりの電気料金とを乗算して電気料金を取得する。
【００８７】
処理部１０８が電気料金を算出する処理を行なうタイミングやトリガー等は問わない。例えば、端末装置２０等から、電気料金を算出する指示であって、算出対象となる照明装置３０の照明識別子等を受信した場合に、この照明識別子に対応する照明装置３０の電気料金を算出しても良い。なお、この指示は、電気料金を算出する期間を指定する情報を有していても良く、この場合、処理部１０８は、この指定された期間の電気料金を算出するようにすればよい。また、処理部１０８は、予め決められた時刻に、予め決められた期間の電気料金を算出する処理をそれぞれ行なうようにしても良い。なお、処理部１０８が行なう電気料金を算出する処理は、上記の処理に限定されるものではない。
【００８８】
報奨処理部１０９は、受信部１０１が、端末装置２０の端末識別子と、この端末装置２０が取得した照明装置３０の照明識別子と、この照明識別子が示す照明装置３０の稼働情報とを受信した場合に、受信した端末識別子に対応付けられたユーザに対して、報奨を与える処理を行なう。ここでの端末識別子に対応付けられたユーザは、例えば、端末識別子が示す端末装置２０を利用するユーザである。
【００８９】
端末識別子に対応付けられたユーザに対して報奨を与える処理は、例えば、ユーザに与える報奨と、報奨を与える対象となるユーザが利用する端末装置２０の端末識別子とを出力する処理である。報奨は、例えば、ポイントやクーポンである。ここでのクーポンは、クーポンと対応付けられたクーポンコード等であっても良い。ポイントは、例えば、点数に応じて特典に交換可能な情報や、金銭の代わりに代金支払いに用いられる情報である。クーポンは、金券や、割引券である。ここでの出力は、例えば、後述する報奨格納部１１０に対する蓄積や、ポイントやクーポン等の報奨を端末識別子等と対応付けて管理する外部の装置（図示せず）等への送信等である。以下においては、この出力が、報奨格納部１１０への蓄積である場合を例に挙げて説明する。
【００９０】
なお、端末識別子に対応付けられたユーザに対して報奨を与える処理は、例えば、ユーザに対して報奨を与えることを指示する情報であって、報奨を与える対象となるユーザが利用する端末装置２０の端末識別子と対応付けられた情報を、報奨をユーザに与える装置（図示せず）等に対して出力する処理である。この場合の出力は、例えば送信である。この情報は、与える報奨の内容をさらに有する情報（例えば、与えるポイントの値等を有する情報）であっても良い。また、端末識別子に対応付けられたユーザに対して報奨を与える処理は、例えば、端末識別子に対して、ポイントやクーポン等の報奨を与える対象となるユーザが利用する端末装置２０の端末識別子と対応付けられた情報を出力する処理であってもよい。この場合の出力は、例えば送信である。なお、上記の送信は、例えば、後述する出力部１１１を用いて行なうようにしても良い。また、報奨処理部１０９が、図示しない送信手段等を有していても良い。
【００９１】
報奨処理部１０９は、例えば、受信部１０１が、端末識別子と照明識別子と稼働情報とを受信する毎に、この端末識別子と予め決められた報奨とを出力してもよい。また、報奨処理部１０９は、受信部１０１が、一の端末識別子と対応付けられた照明識別子と稼働情報とを、２以上の予め決められた数以上受信した時に、この一の端末識別子と予め決められた報奨とを出力してもよい。また、報奨処理部１０９は、一の端末識別子と対応付けられた照明識別子と稼働情報とを、予め決められた時間以上受信した時に、この一の端末識別子と予め決められた報奨とを出力してもよい。
【００９２】
報奨格納部１１０には、照明識別子と、報奨とが対応付けて格納される。例えば、報奨格納部１１０には、照明識別子と、報奨との１または２以上の組が格納される。報奨格納部１１０に格納される報奨は、例えば、ポイントやクーポンである。報奨格納部１１０に格納される報奨がポイントである場合であって、報奨処理部１０９が新たに照明識別子と報奨とを蓄積する時に、この蓄積する照明識別子と一致する照明識別子と対応付けられたポイントが、既に報奨格納部１１０に格納されている場合、この一致する照明識別子と対応付けられて既に格納されているポイントに、新たに蓄積するポイントを加算するようにしても良い。
【００９３】
なお、報奨格納部１１０に格納されているポイントや、クーポン等の報奨をどのように利用できるようにするかは問わない。例えば、受信部１０１等が、端末装置２０や他の装置から、端末識別子を有するポイントやクーポン等を読み出す要求を受け付けた場合に、後述する出力部１１１等が、報奨格納部１１０から、この要求が有する端末識別子と対応付けられたポイントやクーポン等を読み出して、後述する出力部１１１等を介して、上記の要求の送信元等に送信するようにしても良い。
【００９４】
なお、報奨処理部１０９が取得した報奨や、報奨処理部１０９の指示に応じて取得された報奨がどのように利用されるかは問わない。例えば、ポイントやクーポン等を利用して、商品やサービス購入の決済等を行なう処理や、ポイントを商品や金券等に交換する処理等については、公知技術であるため、詳細な説明は省略する。
【００９５】
出力部１１１は、処理部１０８の処理結果を出力する。出力部１１１は、例えば、処理部１０８が取得した統計処理結果に関する情報を出力する。例えば、出力部１１１は、統計処理結果に関する情報として、統計処理結果を出力しても良く、統計処理結果に応じて処理部１０８が取得した経済状況に関する情報を出力してもよい。統計処理に関する情報の送信先は問わない。例えば、出力部１１１は、予め決められた１以上の送信先に送信する。この１以上の送信先の情報は、例えば、格納部１０２や、図示しない格納部等に予め蓄積しておくようにしてもよい。
【００９６】
また、出力部１１１は、処理部１０８が行なう見守る処理の処理結果を、見守る処理に用いた稼働情報に対応する照明識別子に対応付けられて見守り連絡先格納部１０５に格納された見守り連絡先情報が示す連絡先に出力してもよい。例えば、出力部１１１は、処理部１０８が、一の見守り連絡先情報に対応付けて見守り連絡先格納部１０５に格納されている１または２以上の照明識別子に対応付けられた稼働情報を用いて、この１または２以上の照明識別子がそれぞれ示す照明装置３０を利用するユーザが正常な状態であると判断した場合に、この一の見守り連絡先情報が示す連絡先に、正常であることを示す見守る処理の結果を出力する。また、処理部１０８が、正常な状態でないと判断した場合、この一の見守り連絡先情報が示す連絡先に、正常でないことを示す見守る処理の結果を出力する。正常であることを示す見守る処理の結果は、例えば、ユーザが正常であることを示すテキスト情報や画像である。また、正常でないことを示す見守る処理の結果は、例えば、ユーザが正常でないことを示すテキスト情報や画像である。また、処理の結果を示す情報は、処理を行なった時刻等を有する情報であっても良い。ただし、処理の結果を示す情報は、処理の結果を示すことが可能な情報であれば、どのような情報であるかは問わない。
【００９７】
また、出力部１１１は、処理部１０８が行なう故障を診断する処理の処理結果を出力する。例えば、出力部１１１は、処理部１０８が行なう故障を診断する処理の処理結果を、故障を診断した照明装置３０の照明識別子に対応付けられて診断連絡先格納部１０６に格納された連絡先の情報が示す連絡先に出力してもよい。例えば、出力部１１１は、処理部１０８が、一の照明識別子が示す照明装置３０を故障していると判断した場合、この照明識別子と対応付けられて診断連絡先格納部１０６に格納されている診断連絡先情報を取得し、取得した診断連絡先情報が示す連絡先に、上記の一の照明識別子が示す照明装置３０が故障していることを示す診断結果を出力する。この診断結果は、上記の一の照明識別子を有するものであることが好ましい。なお、出力部１１１は、故障を診断する処理の処理結果を、予め指定された出力先に出力しても良い。
【００９８】
また、出力部１１１は、処理部１０８が行なう電気料金を算出する処理の処理結果を出力する。例えば、出力部１１１は、処理部１０８が行なう電気料金を算出する処理の処理結果を、電気料金を算出した照明装置３０の照明識別子に対応付けられて料金連絡先格納部１０７に格納された連絡先の情報が示す連絡先に出力してもよい。電気料金を算出する処理の処理結果は、例えば、算出された電気料金である。例えば、出力部１１１は、処理部１０８が、一の照明識別子が示す照明装置３０の電気料金を算出した場合、この照明識別子と対応付けられて料金連絡先格納部１０７に格納されている料金連絡先情報を取得し、取得した料金連絡先情報が示す連絡先に、上記の一の照明識別子が示す照明装置３０の電気料金を出力する。この処理結果は、電気料金が算出された期間を示す情報をさらに有していても良い。また、電気料金は、上記の一の照明識別子を有するものであることが好ましい。なお、出力部１１１は、電気料金を算出する処理の処理結果を、予め指定された出力先に出力しても良い。
【００９９】
なお、出力部１１１は、報奨処理部１０９が取得した報奨と端末識別子とを他の装置（図示せず）等に送信してもよい。また、出力部１１１は、報奨処理部１０９が取得した報奨を与える指示と端末識別子とを他の装置（図示せず）等に送信しても良い。なお、出力部１１１が出力する情報は、ここで説明した情報に限定されるものではない。
【０１００】
ここでの出力とは、ディスプレイへの表示、プリンタへの印字、外部の装置への送信、記録媒体への蓄積、他の処理装置や他のプログラムなどへの処理結果の引渡しなどを含む概念である。
【０１０１】
出力部１１１は、ディスプレイやプリンタ等の出力デバイスを含むと考えても含まないと考えても良い。例えば、出力部１１１は、通信手段等を有していても良い。出力部１１１は、出力デバイスのドライバーソフトまたは、出力デバイスのドライバーソフトと出力デバイス等で実現され得る。
【０１０２】
端末装置２０は、例えば、コンピュータや、携帯電話、いわゆるスマートフォン等の多機能携帯電話、タブレット端末等の情報処理端末である。例えば、端末装置２０は、１以上の照明装置３０が照明する領域に位置するユーザが利用する端末装置２０である。ただし、端末装置２０は、これらに限定されるものではない。
【０１０３】
端末受信部２０１は、１または２以上の照明装置３０からそれぞれ送信される照明識別子と、発光部３０１の稼働に関する情報とを受信する。端末受信部２０１は、例えば、１または２以上の照明装置３０からそれぞれ送信される照明識別子と、発光部３０１の稼働に関する情報と、照明装置３０が稼働情報を取得した取得時情報を受信してもよい。また、端末受信部２０１が取得時情報を受信しない場合、端末受信部２０１は、照明識別子と、稼働情報とを受信した日時を示す取得時情報を、図示しない時計等から取得しても良い。端末受信部２０１が受信した情報は、図示しない格納部等に蓄積されるようにしても良い。この蓄積は一時記憶であっても良い。
【０１０４】
端末受信部２０１は、通常、無線または有線の通信手段で実現されるが、放送を受信する手段で実現してもよい。例えば、受信部１０１は、ＷｉＦｉやＢｌｕｅｔｏｏｔｈ（登録商標）等の無線通信により端末装置２０から照明稼働情報を受信する。ただし、受信部１０１は、有線通信により、端末装置２０から照明稼働情報を受信してもよい。なお、無線通信により照明装置３０から情報を受信する場合、近距離無線通信を用いることが、電力消費量を抑えることができる等の面で好ましい。受信部１０１は、通信デバイスを含むと考えても、含まないと考えても良い。なお、かかることは、以下の他の受信部においても同様である。
【０１０５】
端末送信部２０２は、端末受信部２０１が受信した照明識別子と稼働情報とを、照明情報処理装置１０に送信する。端末送信部２０２は、例えば、端末受信部２０１が各照明装置３０から受信した照明識別子と、稼働情報と、取得時情報との組を、照明情報処理装置１０に送信する。なお、端末受信部２０１が、取得時情報を取得する場合、端末送信部２０２は、例えば、端末受信部２０１が受信した照明識別子および稼働情報を、この照明識別子および稼働情報について取得した取得時情報と対応付けて照明情報処理装置１０に送信してもよい。また、端末受信部２０１が、取得時情報を受信せず、取得時情報の取得も行なわない場合、端末送信部２０２は、照明識別子と稼働情報とを送信する際の日時を示す情報を、図示しない時計等から取得し、取得した日時を示す情報を取得時情報として、照明識別子と稼働情報とに対応付けて照明情報処理装置１０に送信しても良い。なお、端末送信部２０２は、自装置の端末識別子を、上記の情報と対応付けて照明情報処理装置１０に送信しても良い。
【０１０６】
端末送信部２０２は、通常、無線または有線の通信手段で実現される。端末送信部２０２は、通信デバイスを含むと考えても、含まないと考えても良い。
【０１０７】
照明装置３０は、光を発する装置である。ここでの照明装置３０は、例えば、建物に取付けられるものである。ただし、建物以外のものに取付けられていてもよい。照明装置３０は、例えば、屋内に取付けられるものであっても良く、屋外に取付けられるものであっても良い。
【０１０８】
発光部３０１は、光を発するものである。発光部３０１は、例えば、１または２以上の光源（図示せず）を有している。光源は、例えば、ランプである。発光部３０１が有する光源は、どのような光源であっても良い。光源は、例えば、ＬＥＤランプであってもよく、白熱灯であっても良く、蛍光灯であっても良い。ただし、発光部３０１が有する光源は、これらに限定されるものではない。発光部３０１は、電源供給のオン、オフによって、点灯および消灯を制御可能なものである。発光部３０１は、発光部３０１が有する複数の光源の一部の点灯および消灯を制御して、発光パターンを変更可能なものであっても良い。また、発光部３０１は、発光色を変更可能なものであっても良い。発光部３０１は、１以上の光源への電源供給を制御して、発光部３０１の点灯および消灯を制御したり、発光部３０１の発光パターンや、発光色等を変更するための制御回路等の制御手段（図示せず）等を有していてもよい。この制御手段は、例えば、図示しない受付部等がユーザから受け付ける操作等に応じて、光源等を制御する。発光部３０１の構成については、通常の照明装置の発光部と同様であるため、ここでは詳細な説明は省略する。また、発光部３０１を操作するための操作を受け付けるための手段等については、ここでは説明を省略する。
【０１０９】
なお、発光部３０１が複数の光源を有している場合、複数の光源は、異なる場所に設置されていても良い。例えば、複数の光源は、一の部屋の天井の異なる位置に取付けられていてもよい。
【０１１０】
照明取得部３０２は、発光部３０１の稼働に関する情報を取得する。発光部３０１の稼働に関する情報は、上述した稼働情報と同様の情報である。照明取得部３０２がどのように発光部３０１の稼働に関する情報を取得しても良い。例えば、照明取得部３０２は、発光部３０１や発光部３０１に含まれる１以上の光源に流れる電流等を検出することで、発光部３０１が点灯しているか否かを示す稼働に関する情報を取得する。また、照明取得部３０２は、発光部３０１が有する制御手段から、発光部３０１の稼働に関する情報を取得しても良い。また、例えば、照明取得部３０２は、上述したような光源を制御する制御手段から現在の１以上の光源の制御状態（例えば、点灯状態や、発光色等の状態）を示す情報を、稼働に関する情報として取得しても良い。なお、照明取得部３０２が、発光部３０１の稼働に関する情報を取得する処理は、上記の説明に限定されるものではない。
【０１１１】
発光部３０１が個別に発光を制御可能な複数の光源や複数の光源群を有している場合、照明取得部３０２は、光源や光源群毎に稼働に関する情報を取得しても良い。
【０１１２】
照明取得部３０２が、稼働に関する情報を取得するタイミングやトリガー等は問わない。例えば、照明取得部３０２は、一定または不定のタイミング毎に、順次、稼働に関する情報を取得しても良い。また、照明取得部３０２は、発光部３０１が点灯する時や、消灯する時に、稼働に関する情報を取得しても良い。また、図示しない受信部等が、稼働に関する情報の送信を要求する情報を受信した場合に、照明取得部３０２が、稼働に関する情報を取得しても良い。
【０１１３】
なお、照明取得部３０２は、更に、稼働に関する情報を取得した日時を示す取得時情報を、図示しない時計等から取得しても良い。
【０１１４】
照明送信部３０３は、照明取得部３０２が取得した稼働に関する情報と、自装置の照明識別子とを送信する。照明送信部３０３は、例えば、稼働に関する情報と、自装置の照明識別子とを１以上の端末装置２０に送信する。例えば、照明送信部３０３が送信する稼働に関する情報が、上述した受信部１０１等が受信する稼働情報に相当する。自装置の照明識別子は、例えば、図示しない格納部等に予め格納されているものを適宜読み出すようにすればよい。照明送信部３０３は、例えば、上記の稼働に関する情報と、照明識別子とに対して、さらに、照明取得部３０２が取得した取得時情報を対応付けて送信しても良い。なお、照明取得部３０２が取得時情報を取得しない場合、照明取得部３０２は、上記の稼働に関する情報等を送信する日時を示す情報を図示しない時計等から取得して、この日時を示す情報を取得時情報として、上記の稼働に関する情報と、照明識別子とを対応付けて送信してもよい。
【０１１５】
なお、照明送信部３０３は、照明取得部３０２が稼働に関する情報を取得した場合に、順次、この稼働に関する情報を送信しても良く、照明取得部３０２が異なる日時に取得した複数の稼働に関する情報をまとめて送信するようにしてもよい。
【０１１６】
照明送信部３０３は、上記の稼働に関する情報等を、照明情報処理装置１０に送信してもよく、１以上の端末装置２０に送信してもよい。この情報の送信は、有線通信により行なわれても良く、無線通信により行なわれても良い。照明送信部３０３が、稼働に関する情報等を、無線通信により送信する場合、例えば、発光部３０１が発する光が照らす領域やその近傍に位置する端末装置２０が受信できるよう近距離無線通信により送信することが、照明装置３０の電力消費を抑えたり、送信のための手段を小型化できるうえで好ましい。本実施の形態においては、照明送信部３０３が、Ｂｌｕｅｔｏｏｔｈ（登録商標）等の近距離無線通信により上記の稼働に関する情報等を送信する場合について説明する。
【０１１７】
なお、発光部３０１が個別に発光を制御可能な複数の光源や複数の光源群を有しており、照明取得部３０２は、光源や光源群毎に稼働に関する情報を取得する場合、照明送信部３０３は、光源や光源群毎に取得した稼働に関する情報を、異なる端末識別子を対応付けて送信するようにしても良い。この場合、それぞれの光源や光源群毎に取得した稼働に関する情報を、異なる照明装置３０の稼働に関する情報として扱うようにしても良い。
【０１１８】
照明送信部３０３は、通常、無線または有線の通信手段で実現されるが、放送を送信する手段により実現してもよい。端末送信部２０２は、通信デバイスを含むと考えても、含まないと考えても良い。
【０１１９】
次に、照明情報処理装置１０の動作の一例について図２のフローチャートを用いて説明する。
【０１２０】
（ステップＳ１０１）受信部１０１は、照明識別子と、この照明識別子が示す照明装置３０の稼働情報と、この稼働情報の取得時を示す取得時情報と、これらの情報を送信した端末装置２０の端末識別子との組を、受信したか否かを判断する。受信した場合、ステップＳ１０２に進み、受信していない場合、ステップＳ１０４に進む。
【０１２１】
（ステップＳ１０２）蓄積部１０３は、ステップＳ１０１で受信した照明識別子と、稼働情報と、取得時情報とを有する稼働照明情報を、格納部１０２に蓄積する。なお、ステップＳ１０１で受信した端末識別子を、さらにこの稼働照明情報に対応付けて格納部１０２に蓄積しても良い。
【０１２２】
（ステップＳ１０３）報奨処理部１０９は、ステップＳ１０２で受信した端末識別子に対応付けられたユーザに対して、報奨を与える処理を行なう。例えば、報奨処理部１０９は、ステップＳ１０２で受信した端末識別子と、予め決められたポイントとを、報奨格納部１１０に蓄積する。なお、既に同じ端末識別子と対応付けられたポイントが、報奨格納部１１０に格納されている場合、このポイントを、このポイントに予め決められたポイントを加算した値で更新するようにしてもよい。そして、ステップＳ１０１に戻る。
【０１２３】
（ステップＳ１０４）処理部１０８は、統計処理を行なうタイミングであるか否かを判断する。例えば、統計処理を行なうための予め決められた時刻であるか判断してもよい。また、統計処理を行なう指示等を、図示しない受信部等が受信したか否か等を判断しても良い。統計処理を行なうタイミングである場合、ステップＳ１０５に進み、統計処理を行なうタイミングでない場合、ステップＳ１０７に進む。
【０１２４】
（ステップＳ１０５）処理部１０８は、格納部１０２に蓄積された稼働照明情報を用いて、予め決められた１または２以上の統計処理を行なう。そして、統計処理の結果に関する情報を取得する。
【０１２５】
（ステップＳ１０６）出力部１１１は、ステップＳ１０５で取得した統計処理の結果に関する情報を出力（例えば、送信）する。そして、ステップＳ１０１に戻る。
【０１２６】
（ステップＳ１０７）処理部１０８は、見守る処理を行なうタイミングであるか否かを判断する。例えば、前回見守りの処理を行なった時刻から、予め決められた時間が経過したか否かを判断し、経過した場合、見守る処理を行なうタイミングであると判断する。なお、最初の見守りは、予め決められた日時に行なうようにしても良く、最初にこの判断処理を行なったときを、見守る処理を行なうタイミングであると判断するようにしてもよい。見守る処理を行なう場合、ステップＳ１０８に進み、行なわない場合、ステップＳ１１１に進む。
【０１２７】
（ステップＳ１０８）処理部１０８は、格納部１０２に格納された稼働照明情報等を用いて見守る処理を行なう。
【０１２８】
（ステップＳ１０９）出力部１１１は、ステップＳ１０８の見守る処理の結果の出力が必要か否かを判断する。例えば、見守る処理の結果、処理部１０８が、見守る対象のユーザが正常な状態であると判断した場合に、正常な状態であることを示す出力を行なう必要があると判断する。また、例えば、見守る処理の結果、処理部１０８が、見守る対象のユーザが正常ではない状態であると判断した場合に、正常ではない状態であることを示す出力を行なう必要があると判断する。出力が必要である場合、ステップＳ１１０に進み、出力が必要でない場合、ステップＳ１１１に進む。
【０１２９】
（ステップＳ１１０）出力部１１１は、見守り結果を出力する。例えば、ステップＳ１０９の処理の結果、照明装置３０を利用する１以上のユーザが正常な状態であると判断した場合、この照明装置３０の照明識別子と対応付けられた見守り連絡先情報を、見守り連絡先格納部１０５から取得し、取得した見守り連絡先情報が示す連絡先に、それぞれ、見守り対象のユーザが正常な状態であることを示す情報を出力（例えば、送信）する。また、例えば、ステップＳ１０９の処理の結果、照明装置３０を利用する１以上のユーザが異常な状態であると判断した場合、この照明装置３０の照明識別子と対応付けられた見守り連絡先情報が示す連絡先に、それぞれ、見守り対象のユーザが異常な状態であることを示す情報を出力（例えば、送信）する。そして、ステップＳ１０１に戻る。
【０１３０】
（ステップＳ１１１）処理部１０８は、照明装置３０の故障を診断するタイミングであるか否かを判断する。例えば、故障の診断を行なう予め決められた時刻であるか判断してもよい。また、故障の診断を行なう指示等を、図示しない受信部等が受信したか否か等を判断しても良い。故障の診断を行なうタイミングである場合、ステップＳ１１２に進み、故障の診断を行なうタイミングでない場合、ステップＳ１１５に進む。
【０１３１】
（ステップＳ１１２）処理部１０８は、格納部１０２に格納された稼働照明情報を用いて、１以上の照明装置３０の故障の診断を行なう。
【０１３２】
（ステップＳ１１３）出力部１１１は、ステップＳ１１２で故障が検出された照明装置３０の照明識別子を取得し、取得した照明識別子と対応付けられた診断連絡先情報を、診断連絡先格納部１０６から取得し、取得した診断連絡先情報が示す連絡先に、故障であることを示す診断結果を出力（例えば、送信）する。そして、ステップＳ１０１に戻る。
【０１３３】
（ステップＳ１１４）処理部１０８は、照明装置３０の電気料金を算出するタイミングであるか否かを判断する。例えば、電気料金の算出を行なう予め決められた時刻であるか判断してもよい。また、電気料金の算出を行なう指示等を、図示しない受信部等が受信したか否か等を判断しても良い。電気料金の算出を行なうタイミングである場合、ステップＳ１１６に進み、故障の診断を行なうタイミングでない場合、ステップＳ１０１に戻る。
【０１３４】
（ステップＳ１１５）処理部１０８は、稼働照明情報を用いて、各照明識別子が示す照明装置３０の電気料金を算出する処理を行なう。
【０１３５】
（ステップＳ１１６）出力部１１１は、ステップＳ１１５で電気料金を算出した各照明装置３０の各照明識別子に対応する料金連絡先情報を料金連絡先格納部１０７から取得し、取得した料金連絡先情報が示す連絡先に、各照明装置３０について処理部１０８が行なった電気料金を算出する処理の結果を示す情報（例えば、照明装置３０の照明識別子と、この照明装置３０について算出した電気料金とを有する情報等）を出力（例えば、送信）する。そして、ステップＳ１０１に戻る。
【０１３６】
なお、図２のフローチャートにおいて、ステップＳ１０７における見守る処理を行なうタイミングや、ステップＳ１１１における故障の診断を行なうタイミング等は、それぞれの処理結果の連絡先の情報毎に異なるようにしてもよい。例えば、連絡先の情報と、見守る処理を行なう日時を特定するための情報や、故障の診断を行なう日時等を特定するための情報を、図示しない格納部等に予め格納しておくようにし、この情報を用いて、処理部１０８が、連絡先の情報毎に、見守る処理を行なうタイミングであるかの判断や、故障の診断を行なうタイミングであるかの判断を行なうようにしてもよい。
【０１３７】
なお、図２のフローチャートにおいて、電源オフや処理終了の割り込みにより処理は終了する。
【０１３８】
次に、端末装置２０の動作の一例について説明する。端末受信部２０１は、１以上の照明装置３０から送信される照明識別子および発光部３０１の稼働に関する情報を受信する。また、端末受信部２０１は、この照明識別子および稼働情報を受信した日時を示す取得時情報を、図示しない時計等から取得する。端末送信部２０２は、端末受信部２０１が受信した照明識別子および発光部３０１の稼働に関する情報と、取得時情報と、自装置の端末識別子とを対応付けて照明情報処理装置１０に送信する。この発光部３０１の稼働に関する情報が、上述した稼働情報に相当し、端末送信部２０２が送信する照明識別子、発光部３０１の稼働に関する情報、および取得時情報が、上記の稼働照明情報に相当する。端末装置２０は、例えば、上記の処理を繰り返し行なう。
【０１３９】
次に、照明装置３０の動作の一例について説明する。ただし、ここでは、発光部３０１を制御する動作等は省略する。照明取得部３０２は、発光部３０１の稼働に関する情報を取得するタイミングであるか否かを判断する。例えば、照明取得部３０２は、発光部３０１の制御に変更があった場合（例えば、発光部３０１を点灯する制御が行なわれた場合や、消灯する制御が行なわれた場合）に、稼働に関する情報を取得するタイミングであると判断する。また、照明取得部３０２は、例えば、予め決められた時間が経過した場合に、稼働に関する情報を取得するタイミングであると判断しても良い。この場合の最初に稼働に関する情報を取得するタイミングは、どのように決定しても良く、例えば、照明取得部３０２の起動直後を、最初に稼働に関する情報を取得するタイミングであると判断してもよい。稼働に関する情報を取得するタイミングやトリガーが発生した場合に、照明取得部３０２は、発光部３０１の稼働に関する情報を取得する。照明送信部３０３は、照明取得部３０２が、稼働に関する情報を取得した場合に、この情報に、自装置の照明識別子を対応付けて送信する。例えば、１以上の端末装置２０に送信する。ここでの送信は、放送であっても良い。照明装置３０は、例えば、上記の処理を繰り返し行なう。
【０１４０】
（具体例）
以下、本実施の形態における照明情報処理システム１の具体的な動作について説明する。照明情報処理システム１の概念図は図３である。ここでは、照明情報処理システム１が、４以上の端末装置２０と、４以上の複数の照明装置３０が設置されており、この複数の端末装置２０の一部である３つの端末装置２０と、この複数の照明装置３０の一部である３つの照明装置３０とが異なる三つの部屋にそれぞれ１つずつ設置されているとする。この三つの照明装置３０を、照明装置３０ａ〜３０ｃとしている。また、照明装置３０ａ〜３０ｃと同じ部屋に位置する端末装置２０を、それぞれ端末装置２０ａ〜２０ｃとしている。ここでは、同じ部屋に位置する照明装置３０と端末装置２０とが近距離無線通信により接続されているものとする。なお、照明装置３０と端末装置２０との通信は、例えば、端末装置２０を利用するユーザの操作に応じて、接続および切断が可能であるとする。
【０１４１】
ここでは、各照明装置３０が、それぞれ、発光部３０１の点灯時と、消灯時に、それぞれ発光部３０１の稼働に関する情報を取得して、この稼働に関する情報と、照明装置３０の照明識別子とを対応付けて送信しているものとする。例えば、点灯時に取得する発光部３０１の稼働に関する情報は、点灯時であることを示す情報であり、消灯時に取得する発光部３０１の稼働に関する情報は、消灯時であることを示す情報であるとする。
【０１４２】
例えば照明装置３０ａの発光部３０１が点灯したため、照明装置３０ａの照明取得部３０２が、発光部３０１について点灯時であることを示す稼働に関する情報を取得したとする。ここでは、各照明装置３０の照明取得部３０２が取得する点灯時であることを示す稼働に関する情報が「１」であり、消灯時であることを示す稼働に関する情報が「０」であるとする。ここでは、発光部３０１が点灯したため、稼働に関する情報として「１」を取得したものとする。照明装置３０ａの照明送信部３０３は、図示しない格納部に格納されている照明装置３０ａの照明識別子である「Ｌ１００１」を読み出して、照明取得部３０２が取得した発光部３０１の稼働に関する情報「１」と対応付けて、同じ部屋内の端末装置２０ａに近距離無線通信により送信する。
【０１４３】
端末装置２０ａの端末受信部２０１が、照明装置３０ａから照明識別子「Ｌ１００１」と、稼働に関する情報「１」とを受信すると、端末受信部２０１は、図示しない時計等から受信時の日時「２０２０年１２月２日９時１４分」を取得する。端末送信部２０２は、図示しない格納部等から端末装置２０ａの端末識別子「Ｔ１００１」を読み出し、この端末識別子「Ｔ１００１」と、端末受信部２０１が受信した照明識別子「Ｌ１００１」と、発光部３０１の稼働に関する情報「１」と、端末受信部２０１が取得した日時「２０２０年１２月２日９時１４分」とを対応付けて、照明情報処理装置１０に送信する。このとき発光部３０１の稼働に関する情報を、照明装置３０ａの稼働に関する情報である稼働情報として、また、日時を、稼働情報を取得した日時を示す取得時情報として送信する。なお、稼働情報は、上記の発光部３０１の稼働に関する情報と同様に、照明装置３０の点灯時であることを示す情報が「１」であり、照明装置３０の消灯時であることを示す情報が「０」であるとする。
【０１４４】
受信部１０１は、端末装置２０ａから、端末識別子「Ｔ１００１」と、照明識別子「Ｌ１００１」と、稼働情報「１」と、取得時情報「２０２０年１２月２日９時１４分」とを受信すると、蓄積部１０３は、受信した照明識別子「Ｌ１００１」と、稼働情報「１」と、取得時情報「２０２０年１２月２日９時１４分」とを有する照明稼働情報を、格納部１０２に蓄積する。ここでの蓄積は、例えば、追記である。なお、受信した端末識別子も、照明稼働情報と対応付けて蓄積するようにしても良い。
【０１４５】
図４（ａ）は、格納部１０２に格納されている照明稼働情報を管理する照明稼働管理表である。照明稼働管理表は、照明識別子を示す「照明ＩＤ」、取得時情報を示す「取得時」、および稼働情報を示す「稼働」という属性を有している。上記で蓄積された照明稼働情報が、一番上のレコード（行）として追記されているものとする。
【０１４６】
図５（ａ）は、報奨格納部１１０に格納された報奨を管理する報奨管理表である。ここでの報奨は、金券や商品と交換可能なポイントであるとする。報奨管理表は、照明識別子を示す「照明ＩＤ」と、報奨である「ポイント」という属性を有している。「ポイント」の属性値は、ポイントの値であるとする。
【０１４７】
報奨処理部１０９は、照明稼働情報が格納部１０２に蓄積されると、図５（ａ）に示した報奨管理表において、「照明ＩＤ」の属性値が、上記の照明稼働情報とともに受信された端末識別子「Ｔ１００１」と一致するレコード（行）があるか否かを判断する。そして、一致するレコードがない場合、端末識別子「Ｔ１００１」と、予め決められたポイント数である「１」ポイントとを、「照明ＩＤ」および「ポイント」の属性値として有するレコードを追記する。一致するレコードがある場合、このレコードの「ポイント」の値を、この値に、予め決められたポイント数である「１」ポイントを加算した値で更新する。ここでは、一致するレコードがあるため、このレコードの「ポイント」の値を「３５２」から「３５３」に更新する。
【０１４８】
図５（ｂ）は、図５（ａ）に示した報奨管理表を更新した報奨管理表を示す図である。
これ以降も、上記と同様の処理が適宜行なわれ、照明装置３０ａについての照明稼働情報が格納部１０２に追記され、照明稼働情報が１つ追記される毎に、報奨であるポイントが端末識別子「Ｔ１００１」に付与されていく。例えば、照明装置３０ａの発光部３０１の消灯時には、消灯時であることを示す稼働情報「０」を有する照明稼働情報が格納部１０２に追記される。
【０１４９】
また、他の照明装置３０についても上記と同様の処理が行なわれ、それぞれの照明装置３０についての照明稼働情報が格納部１０２に追記され、それぞれの照明装置３０の照明稼働情報を送信した端末装置２０の端末識別子にポイントが付与される。
【０１５０】
ここで、仮に、照明稼働管理表が、図４（ａ）に示した状態において、稼働情報についての統計処理を行なう時刻になったとすると、処理部１０８は、統計処理を行なう。この統計処理は、照明情報処理装置１０が稼働情報を受信可能な全ての照明装置３０の、昨日の点灯時間の平均を取得する処理と、照明装置３０が設置されている場所で働く人の部門毎の、昨日の点灯時間の平均を取得する処理であるとする。
【０１５１】
処理部１０８は、図４（ａ）に示した照明稼働管理表において、「照明ＩＤ」から、重複がないよう照明識別子を取得して図示しない格納部等に一時記憶し、取得した照明識別子の中から一番目の照明識別子を読み出す。一番目の照明識別子として、ここでは「Ｔ１００１」を読み出したとする。そして、「照明ＩＤ」がこの一番目の照明識別子「Ｔ１００１」と一致し、「取得時」が、昨日の日付「２０２０年１２月１日」を含むレコード（行）を検出する。検出したレコードは、例えば、図４（ｂ）のようなものとなる。なお、どの照明識別子を一番目の照明識別子として読み出すかは問わない。また、昨日の日付は、例えば、図示しないカレンダーや時計等から取得するようにすればよい。
【０１５２】
処理部１０８は、上記で検出した図４（ｂ）に示すようなレコード（行）から、「稼働」の値が「１」であるレコードと、このレコードよりも「取得時」の時刻が後であり、かつ「取得時」の時刻が最も近い、「稼働」の値が「０」であるレコードと、の組を全て検出する。ここで検出されたレコードの組は、「取得時」の値が「２０２０年１２月１日７時５４分」で、「稼働」の値が「１」であるレコードと、「取得時」の値が「２０２０年１２月１日１２時００分」で、「稼働」の値が「０」であるレコードとの第一の組と、「取得時」の値が「２０２０年１２月１日１３時００分」で、「稼働」の値が「１」であるレコードと、「取得時」の値が「２０２０年１２月１日２０時２４分」で、「稼働」の値が「０」であるレコードとで構成される第二の組との２つの組であったとする。
【０１５３】
処理部１０８は、検出したレコードの組のそれぞれについて、「稼働」の値が「０」であるレコードの「取得時」の時刻から、「稼働」の値が「１」であるレコードの「取得時」の時刻を減算して、時間を取得する。ここでは、処理部１０８は、第一の組から点灯時間として「７時間２４分」が取得され、第二の組から時間として「４時間６分」と取得する。
処理部１０８は、検出したレコードの組が複数であるため、それぞれの組について取得した時間の和を求める。ここでは、第一の組の時間「７時間２４分」と、第二の組の時間「４時間６分」との和を算出する。算出した時間は、「１１時間３０分」となる。処理部１０８は、この時間の和を、昨日、照明識別子「Ｔ１００１」が示す照明装置３０ａが点灯していた時間として取得する。
【０１５４】
ここでは、上記で検出したレコードの組が複数であるため、検出したレコードの組についてそれぞれ取得した時間の和を、昨日、照明識別子「Ｔ１００１」が示す照明装置３０ａが点灯していた時間として取得したが、上記で検出したレコードの組が１つである場合、処理部１０８は、このレコードの組について時間を、照明装置３０ａが点灯していた時間として取得する
【０１５５】
処理部１０８は、取得した点灯時間「１１時間３０分」を、照明識別子「Ｔ１００１」と対応付けて図示しない格納部等に一時記憶する。
【０１５６】
同様に、処理部１０８は、上記で図４に示した照明稼働管理表の「照明ＩＤ」から、重複がないよう取得した照明識別子のうちの「Ｔ１００１」以外の他の照明識別子についても、上記と同様に点灯している時間を順次取得し、取得した時間と、照明識別子とを対応付けて一時記憶する。
【０１５７】
図６は、処理部１０８が図示しない格納部等に、照明識別子と対応付けて格納された点灯時間の一例を説明するための点灯管理表を示す図である。点灯管理表は、照明識別子を示す「照明ＩＤ」と、点灯時間を示す「点灯時間」という属性を有している。
【０１５８】
処理部１０８は、図６に示した点灯管理表の各レコード（行）の「点灯時間」の属性値の平均値を算出する。算出した平均値は、「１１時間１５分」であったとする。
【０１５９】
処理部１０８は、上記で算出した平均値が、予め決められた閾値である「１１時間」以上であるか否かを判断する。ここでは、閾値以上であるため、処理部１０８は、経済状況に関する情報として、予め用意された「経済状況：好調」という文字列を取得する。なお、閾値以上でない場合、経済状況に関する情報として予め用意された「経済状況：不調」という文字列を取得する。
【０１６０】
図７は、照明属性格納部１０４に格納されている場所属性情報を管理する照明属性管理表である。照明属性管理表は、照明識別子である「照明ＩＤ」と、照明の属性である「照明属性」という属性を有している。「照明属性」は、ここでは、照明装置３０が配置されている場所で働く人が属する部署の名称であるとする。ただし、ここでの部署は、同じ企業内の部署にかぎられるものではなく、異なる企業の同じあるいは同様の機能を有する部署であっても良い。「照明属性」の属性値は、例えば、総務部、人事部、経理部、営業部、開発部、製造部等である。なお、この照明属性管理表は、予め決められた１以上の部署に属する人が働く場所以外の場所に配置されている照明装置３０の照明識別子と、照明の属性との組を有するレコード（行）を有していないものとする。
【０１６１】
処理部１０８は、図７に示した照明属性管理表において、「属性」から、重複がないよう照明の属性（ここでは部署名）を取得して図示しない格納部等に一時記憶し、取得した照明の属性の中から一番目の照明の属性を読み出す。１番目の照明の属性は「営業部」であったとする。処理部１０８は、図７に示した照明属性管理表から、「属性」が「営業部」であるレコードを検出し、検出したレコードの「照明ＩＤ」の値を取得し、図６で示した点灯管理表等で管理されているような上記で取得した照明識別子と対応付けられて一時記憶されている点灯時間から、図７の照明属性管理表から取得した「照明ＩＤ」と一致する点灯時間を全て取得し、取得した点灯時間の平均値を取得する。平均値は、「１２時間１０分」であったとする。処理部１０８は、取得した点灯時間の平均値「１２時間１０分」と、照明の属性である「営業部」とを対応付けて、図示しない格納部等に蓄積する。同様の処理を、上記で重複がないよう取得した照明の属性のうちの「営業部」以外のものについても行なって、点灯時間の平均値をそれぞれ取得して、照明の属性と対応付けて格納部等に蓄積する。
【０１６２】
出力部１１１は、上記で処理部１０８が統計処理を行なって取得した「点灯時間」の属性値の平均値「１１時間１５分」と、経済状況に関する情報として取得した「経済状況：不調」という文字列と、上記で照明の属性である部署名毎に取得した点灯時間の平均値とを、予め用意されたテンプレート等に配置して、表示用の情報を構成し、構成した表示用の情報を、予め指定された送信先に送信する。なお、出力部１１１は、点灯時間の平均値等の情報をグラフ等で表した表示用のデータを構成しても良い。例えば、予め指定された送信先が、統計処理結果の提供を依頼したユーザであるとすると、このユーザを宛先としてメール等で、上記で構成した表示用の情報を送信する。
【０１６３】
統計処理結果の提供を依頼したユーザが、例えば、図示しないコンピュータ等の情報処理端末で、表示用の情報を受信し、受信した情報を表示するための操作を行なうと、表示用の情報に応じて上記の統計処理結果の表示が行なわれる。
【０１６４】
図８は、統計処理結果の提供を依頼したユーザの情報処理端末８０のモニタ８０ａで表示される統計処理結果の表示例を示す図である。
【０１６５】
ここで、仮に、照明稼働管理表が、図４（ａ）に示した状態において、照明装置３０の故障の診断を行なう時刻になったとすると、処理部１０８は、故障を診断する処理を行なう。ここでは、昨日の照明稼働情報を用いて、故障の診断を行なうものとする。
【０１６６】
図９は、診断連絡先格納部１０６に格納されている診断連絡先情報を管理するための診断連絡先管理表を示す図である。診断連絡先管理表は、照明識別子である「照明ＩＤ」と、診断連絡先情報である「診断連絡先」という属性を有している。「診断連絡先」の属性値は、故障の診断結果の連絡先のメールアドレスであるとする。
【０１６７】
処理部１０８は、図９に示した診断連絡先管理表の一番上のレコードから、「照明ＩＤ」の値「Ｔ１００１」を取得する。そして、図４（ａ）に示した照明稼働管理表から、「照明ＩＤ」が、診断連絡先管理表から取得した「照明ＩＤ」の値「Ｔ１００１」と一致し、かつ、「取得時」が昨日の日付「２０２０年１２月１日」を含むレコードであって、「稼働」の値が、点灯時であることを示す「１」であるレコードがあるか否かを検出する。「稼働」の値が「１」であれば、照明装置３０が点灯したことを示すため、照明装置３０が故障していないと考えられる。ここでは、このようなレコードが１以上検出されたとすると、処理部１０８は、「照明ＩＤ」の値が「Ｔ１００１」である照明装置３０ａが故障していないと判断し、故障であることを示す情報の送信等は行なわない。
【０１６８】
次に、処理部１０８は、図９に示した診断連絡先管理表の上から２番目のレコードについても同様の処理を行なう。ここで、「照明ＩＤ」が、診断連絡先管理表の上から２番目のレコードから取得した「照明ＩＤ」の値「Ｔ１００２」と一致し、かつ、「取得時」が昨日の日付「２０２０年１２月１日」を含むレコードであって、「稼働」の値が、点灯時であることを示す「１」であるレコードが、図４（ａ）に示した照明稼働管理表から検出できなかったとする。処理部１０８は、「照明ＩＤ」の値が「Ｔ１００２」である照明装置３０ａが故障していると判断する。このため、出力部１１１は、診断連絡先管理表の上から２番目のレコードの「診断連絡先」の値であるメールアドレス「ｂｃｄ＠ｅｆｇ…」を取得し、このメールアドレスに、「照明ＩＤ」の値が「Ｔ１００２」である照明装置が故障している旨のテキストや画像を有するメールを送信する。
【０１６９】
以下、処理部１０８および出力部１１１は、図９に示した診断連絡先管理表の上から３番目のレコードについても同様の処理を行なう。
【０１７０】
また、仮に、照明稼働管理表が、図４（ａ）に示した状態において、見守りの処理を行なう時刻になったとすると、処理部１０８は、見守りの処理を行なう。ここでは、この見守りの処理を行なう時刻が、「２０２０年１２月２日９時１５分」であるとする。
【０１７１】
図１０は、見守り連絡先格納部１０５に格納されている見守り連絡先情報を管理するための見守り連絡先管理表を示す図である。見守り連絡先管理表は、照明識別子である「照明ＩＤ」と、見守り連絡先情報である「見守り連絡先」という属性を有している。「見守り連絡先」の属性値は、見守る処理の処理結果の連絡先のメールアドレスであるとする。なお、ここでは、異なるレコードの「見守り連絡先」の属性値が重複していないものとする。
【０１７２】
処理部１０８は、図１０に示した診断連絡先管理表の上から１番目のレコードから、「照明ＩＤ」の値「Ｔ１２１８」と「Ｔ１２１９」とを取得する。ここで取得された「照明ＩＤ」は、一の見守り連絡先情報「ａｂｃｄ＠ｅｆｇ…」に対応付けられた二つの照明識別子である。そして、処理部１０８は、図４（ａ）に示した照明稼働管理表から、「照明ＩＤ」が、診断連絡先管理表から取得した「照明ＩＤ」の二つの値である「Ｔ１２１８」および「Ｔ１２１９」のいずれか一方と一致し、かつ、「取得時」が、現在の日時「２０２０年１２月２日９時１５分」と、現在の日時よりも１時間前の日時である「２０２０年１２月２日８時１５分」との間の時間帯の日時であるレコードが１以上あるか否かを検出する。なお、ここでは１時間前としたが、この時間は１時間に限定されるものではない。ここでは「稼働」の値が、照明装置３０の点灯時または消灯時を示す値であるため、照明稼働管理表にレコードがあれば、上記のいずれかの照明識別子が示す照明装置３０を、この２つの照明装置３０を利用するユーザが点灯または消灯する操作を行なったこととなり、この２つの照明装置３０を利用するユーザが正常な状態であると判断する。ここでは、照明管理表に１以上のレコードがあったとすると、処理部１０８は、この照明装置３０を利用するユーザが正常な状態であると判断する。そして、出力部１１１は、診断連絡先管理表の１番上のレコードの「見守り連絡先」の値であるメールアドレス「ａｂｃｄ＠ｅｆｇ…」を取得し、このメールアドレスに見守り対象のユーザが正常であることを示すテキストや画像等を送信する。なお、上記においてレコードが１つも検出されなかった場合、見守り対象のユーザが正常であるか異常であるかが判断できないため、見守る処理の処理結果を上記のメールアドレスに送信しない。
【０１７３】
処理部１０８および出力部１１１は、同様の処理を、図１０に示した診断連絡先管理表の上から２番目以降のレコードについても行なう。
【０１７４】
また、処理部１０８および出力部１１１は、上記と同様の処理を、「２２時１５分」まで一時間毎に繰り返し行なったとする。
【０１７５】
そして、時刻が「２３時１５分」になったとすると、処理部１０８は、上記と同様に図１０に示した診断連絡先管理表の上から１番目のレコードから、「照明ＩＤ」の値「Ｔ１２１８」と「Ｔ１２１９」とを取得する。そして、処理部１０８は、図４（ａ）に示した照明稼働管理表から、「照明ＩＤ」が、診断連絡先管理表から取得した「照明ＩＤ」の二つの値である「Ｔ１２１８」および「Ｔ１２１９」のいずれか一方と一致し、かつ、「取得時」が、現在の日付「２０２０年１２月２日」を含むレコードが１以上あるか否かを検出する。そして、レコードが１つも検出されなかった場合、処理部１０８は、この照明装置３０を利用するユーザが正常な状態でないと判断する。そして、出力部１１１は、診断連絡先管理表の１番上のレコードの「見守り連絡先」の値であるメールアドレス「ａｂｃｄ＠ｅｆｇ…」を取得し、このメールアドレスに見守り対象のユーザが正常でないことを示すテキストや画像等を送信する。なお、ここでは、１以上のレコードが検出されるため、見守る処理の処理結果を上記のメールアドレスに送信しない。
【０１７６】
処理部１０８および出力部１１１は、同様の処理を、図１０に示した診断連絡先管理表の上から２番目以降のレコードについても行なう。
【０１７７】
ここで、仮に、照明稼働管理表が、図４（ａ）に示した状態において、照明装置３０の電気料金の算出を行なう時刻になったとすると、処理部１０８は、電気料金を算出する処理を行なう。ここでは、昨日の照明稼働情報を用いて、電気料金の算出を行なうものとする。
【０１７８】
図１１は、料金連絡先格納部１０７に格納されている料金連絡先情報を管理するための料金連絡先管理表を示す図である。料金連絡先管理表は、照明識別子である「照明ＩＤ」と、料金連絡先情報である「料金連絡先」と、単位時間当たりの電気料金である「単位料金」という属性を有している。「料金連絡先」の属性値は、電気料金の算出結果の連絡先のメールアドレスであるとする。「単位料金」は、照明装置３０を使用した場合の１時間当たりの電気料金であるとする。
【０１７９】
処理部１０８は、図１１に示した料金連絡先管理表の一番上のレコードから、「照明ＩＤ」の値「Ｔ１００１」と、「単位料金」の値「０．８円」を取得する。そして、図６で示した点灯管理表等で管理されているような上記の統計処理を行なった際に処理部１０８が取得した照明識別子と対応付けられて一時記憶されている点灯時間から、照明識別子「Ｔ１００１」と対応付けられた点灯時間である「１１時間３０分」を取得し、取得した点灯時間に「単位料金」の値「０．８円」を乗算して、昨日の電気料金を算出する。電気料金は「９．２円」となる、そして、出力部１１１は、診断連絡先管理表の上から１番目のレコードの「料金連絡先」の値であるメールアドレス「ｄｆｇｈ＠ａｂｃ…」を取得し、このメールアドレスに、上記の「照明ＩＤ」の値である「Ｔ１００２」と、上記で処理部１０８が算出した電気料金「９．２円」とを示すテキストや画像を有するメールを送信する。
【０１８０】
処理部１０８および出力部１１１は、同様の処理を、図１１に示した診断連絡先管理表の上から２番目以降のレコードについても行なう。
【０１８１】
なお、電気料金を算出する処理を行なう時点で、図６に示したような照明装置３０毎の点灯時間が未取得である場合、上記と同様の点灯時間を取得する処理を行なうようにすればよい。
【０１８２】
以上、本実施の形態によれば、照明情報処理装置が照明装置の稼働情報を取得することができ、照明の稼働状態を有効に利用することができる。
【０１８３】
また、例えば、ユーザ等が利用する端末装置２０を用いて照明装置の稼働情報を照明情報処理装置に送信できるようにすることで、特別な装置等を設けることなく、照明装置の稼働情報を取得することができる。また、端末装置２０を利用するユーザには、稼働情報の送信によって報奨が与えることによって、協力を促すことができる。
【０１８４】
（実施の形態２）
図１２は、本発明の実施の形態２にかかる照明情報処理システム２の構成を示すブロック図である。この照明情報処理システム２は、上記実施の形態１において説明した情報処理システムにおいて、端末装置２０の代わりに、１または２以上の情報取得装置４０を設けるようにしたものである。
【０１８５】
照明情報処理システム２は、照明情報処理装置１１と、１または２以上の情報取得装置４０と、１または２以上の照明装置３０とを備えている。ここでは、一例として２以上の情報取得装置４０を備えている場合について説明する。また、ここでは、一例として２以上の照明装置３０を備えている場合について説明する。
【０１８６】
照明情報処理装置１１は、受信部１２１、格納部１０２、蓄積部１０３、照明属性格納部１０４、見守り連絡先格納部１０５、診断連絡先格納部１０６、料金連絡先格納部１０７、処理部１０８、出力部１１１、および指示送信部１２２を備えている。照明情報処理装置１１の受信部１２１、指示送信部１２２以外の構成や処理等については、上記実施の形態１の照明情報処理装置１０と同様であるため、ここでは詳細な説明は省略する。
【０１８７】
情報取得装置４０は、稼働情報受信部４０１、送信要求受信部４０２、および稼働情報送信部４０３を備えている。
【０１８８】
照明装置３０については、発光部３０１の稼働に関する情報等（例えば、稼働に関する情報と、自装置の照明識別子との組や、これに更に取得時情報を加えた組）を、１または２以上の情報取得装置４０に送信する点を上記実施の形態１と同様であるため、ここでは詳細な説明は省略する。
【０１８９】
指示送信部１２２は、１または２以上の情報取得装置４０に送信要求指示を送信する。送信要求指示は、照明識別子と稼働情報との送信を要求する情報である。指示送信部１２２は、どのようなタイミングやトリガーに応じて、送信要求指示を送信するかは問わない。指示送信部１２２は、例えば、予め決められた時刻や、予め決められた時間間隔ごとに、送信要求指示を送信する。
【０１９０】
受信部１２１は、指示送信部１２２が送信する送信要求指示に応じて情報取得装置４０が送信する照明識別子と稼働情報とを受信する。受信部１２１は、照明識別子と、稼働情報と、取得時情報とを受信しても良い。なお、受信部１２１のこれ以外の構成については、上記実施の形態１の受信部１２１と同様であるため、ここでは詳細な説明は省略する。
【０１９１】
なお、本実施の形態においては、照明情報処理装置１１の、端末識別子等を用いた処理等の、端末装置２０に関連した処理や、この処理を行なうための構成は不要であるため、省略して良い。
【０１９２】
稼働情報受信部４０１は、１または２以上の照明装置３０から、発光部３０１の稼働に関する情報を取得する。稼働情報受信部４０１の構成及び処理は、上記実施の形態１において説明した端末受信部２０１の構成および処理と同様であるため、ここでは詳細な説明を省略する。なお、稼働情報受信部４０１は、照明装置３０から受信した稼働に関する情報と照明識別子等を図示しない格納部等に蓄積するようにしても良い。この蓄積は、一時記憶であっても良い。
【０１９３】
送信要求受信部４０２は、照明情報処理装置１１から、送信要求指示を受信する。
【０１９４】
稼働情報送信部４０３は、稼働情報受信部４０１が１または２以上の照明装置３０から受信した照明識別子と発光部３０１の稼働に関する情報とを照明情報処理装置１１に送信する。稼働情報送信部４０３は、例えば、発光部３０１の稼働に関する情報を、照明装置３０の稼働情報として送信する。稼働情報送信部４０３は、例えば、稼働情報受信部４０１が受信して図示しない格納部に蓄積した複数の組の照明識別子と発光部３０１の稼働に関する情報とを、一括して照明情報処理装置１１に送信してもよい。また、稼働情報送信部４０３は、例えば、稼働情報受信部４０１が受信して図示しない格納部に蓄積した複数の組の照明識別子と発光部３０１の稼働に関する情報とのうちの一部だけを照明情報処理装置１１に送信してもよい。例えば、稼働情報送信部４０３は、例えば、稼働情報受信部４０１が受信して図示しない格納部に蓄積した複数の組の照明識別子と発光部３０１の稼働に関する情報とのうちの、異なる照明識別子にそれぞれ対応付けられた最新の稼働に関する情報と、照明識別子との組を稼働情報送信部４０３に送信してもよい。なお、送信済の稼働に関する情報等は、図示しない格納部等から削除するようにしてよい。例えば、このようにすることで、直前に稼働に関する情報等を送信した後に受信した稼働に関する情報等だけを次回の送信時に送信できるようにしてもよい。
【０１９５】
稼働情報送信部４０３は、例えば、送信要求受信部４０２が送信要求指示を受信した場合に、稼働情報受信部４０１が１または２以上の照明装置３０から受信した照明識別子と発光部３０１の稼働に関する情報とを照明情報処理装置１１に送信するようにしてもよい。例えば、稼働情報送信部４０３は、送信要求受信部４０２が送信要求指示を受信した場合に、稼働情報受信部４０１が受信して図示しない格納部に蓄積した複数の組の照明識別子と発光部３０１の稼働に関する情報とを、一括して照明情報処理装置１１に送信してもよい。また、稼働情報送信部４０３は、例えば、稼働情報受信部４０１が受信して図示しない格納部に蓄積した複数の組の照明識別子と発光部３０１の稼働に関する情報とのうちの一部だけを照明情報処理装置１１に送信してもよい。本実施の形態においては、一例として、送信要求指示に応じて稼働情報送信部４０３が、照明識別子および発光部３０１の稼働に関する情報等を送信する場合について説明する。
【０１９６】
なお、上記以外の稼働情報送信部４０３の構成については、上記実施の形態１における端末送信部２０２の構成と同様であるため、ここでは詳細な説明は省略する。ただし、本実施の形態においては、端末送信部２０２の端末識別子等を送信するための処理や構成は不要であるため、省略して良い。
【０１９７】
なお、送信要求受信部４０２が、照明情報処理装置１１から、送信要求指示を受信した場合に、図示しない送信部が、１または２以上の照明装置３０に、発光部３０１の稼働に関する情報等の送信を要求する情報を送信するようにし、この情報を受信した場合に、照明装置３０が、稼働に関する情報と照明識別子とを送信するようにしてもよい。なお、この場合、各照明装置３０は、この情報を受信する受信部を設ける必要がある。
【０１９８】
次に、照明情報処理装置１１の動作について、図１３に示したフローチャートを用いて説明する。なお、図２のフローチャートと同一符号のステップは、同一または相当する処理のステップを示しており、ここでは詳細な説明は省略する。
【０１９９】
（ステップＳ２０１）指示送信部１２２は、送信要求指示を送信するタイミングであるか否かを判断する。例えば、送信要求指示を送信するための予め決められた時刻であるか判断してもよい。また、送信要求指示を送信する指示等を、図示しない受信部等が受信したか否か等を判断しても良い。送信要求指示を送信するタイミングである場合、ステップＳ２０２に進み、タイミングでない場合、ステップＳ１０４に進む。
【０２００】
（ステップＳ２０２）指示送信部１２２は、送信要求指示を情報取得装置４０に送信する。
【０２０１】
（ステップＳ２０３）受信部１２１は、ステップＳ２０２で送信した送信要求指示に応じて照明識別子と、この照明識別子が示す照明装置３０の稼働情報と、この稼働情報の取得時を示す取得時情報とを受信したか否かを判断する。受信した場合、ステップＳ１０２に進み、受信していない場合、ステップＳ２０３に戻る。
【０２０２】
なお、図１１のフローチャートにおいては、ステップＳ１０２の処理の後、ステップＳ１０１に戻るようにする。また、図２においてステップＳ１０１に戻る処理は、図１１においては、ステップＳ２０１に戻るようにする。
【０２０３】
次に、情報取得装置４０の動作の一例について説明する。稼働情報受信部４０１は、１以上の照明装置３０から送信される照明識別子および発光部３０１の稼働に関する情報を受信する。また、稼働情報受信部４０１は、この照明識別子および稼働情報を受信した日時を示す取得時情報を、図示しない時計等から取得する。そして、受信した照明識別子と、稼働に関する情報と、取得した取得時情報とを対応付けて図示しない格納部に蓄積する。送信要求受信部４０２は、照明情報処理装置１１から、送信要求指示を受信したか否かを判断し、受信した場合、稼働情報送信部４０３は、上記で稼働情報受信部４０１が受信して図示しない格納部に蓄積した照明識別子および発光部３０１の稼働に関する情報と、取得時情報とを読み出し、これらを一括して照明情報処理装置１０に送信する。読み出した情報は、例えば、格納部から削除する。端末装置２０は、例えば、上記の処理を繰り返し行なう。
【０２０４】
以上、本実施の形態においては、上記実施の形態と同様の効果を奏することができる。
【０２０５】
また、例えば、照明情報処理装置１１が送信した送信要求指示を情報取得装置４０が受信した場合に、情報取得装置４０が、照明装置３０から取得して図示しない格納部等に蓄積していた発光部の稼働に関する情報と、照明識別子と、取得時情報とを照明情報処理装置１１に一括送信するようにすることで、情報取得装置４０からの送信回数を減らして、効率良く稼働情報等を得ることができる。
【０２０６】
なお、上記各実施の形態において、各処理（各機能）は、単一の装置（システム）によって集中処理されることによって実現されてもよく、あるいは、複数の装置によって分散処理されることによって実現されてもよい。
【０２０７】
また、上記各実施の形態において、一の装置に存在する２以上の通信手段（出力部や指示送信部など）は、物理的に一の媒体で実現されても良いことは言うまでもない。
【０２０８】
また、上記各実施の形態では、照明情報処理装置がスタンドアロンである場合について説明したが、照明情報処理装置は、スタンドアロンの装置であってもよく、サーバ・クライアントシステムにおけるサーバ装置であってもよい。後者の場合には、出力部や受付部は、通信回線を介して入力を受け付けたり、画面を出力したりすることになる。
【０２０９】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。その実行時に、プログラム実行部は、格納部（例えば、ハードディスクやメモリ等の記録媒体）にアクセスしながらプログラムを実行してもよい。
【０２１０】
なお、上記各実施の形態における照明情報処理装置を実現するソフトウェアは、以下のようなプログラムである。つまり、このプログラムは、１または２以上の照明装置についての照明識別子と、当該照明識別子がそれぞれ示す照明装置の稼働情報とが対応付けて格納される格納部にアクセス可能なコンピュータを、１または２以上の照明装置の照明識別子と、当該照明識別子がそれぞれ示す照明装置の稼働に関する稼働情報とを受信する受信部と、前記受信部が受信した照明識別子と、当該照明識別子がそれぞれ示す照明装置の稼働情報とを対応付けて、前記格納部に蓄積する蓄積部と、前記格納部に格納された稼働情報を用いて処理を行なう処理部と、前記処理部の処理結果を出力する出力部として機能させるためのプログラムである。
【０２１１】
なお、上記プログラムにおいて、上記プログラムが実現する機能には、ハードウェアでしか実現できない機能は含まれない。例えば、情報を取得する取得部や、情報を出力する出力部などにおけるモデムやインターフェースカードなどのハードウェアでしか実現できない機能は、上記プログラムが実現する機能には含まれない。
【０２１２】
また、このプログラムを実行するコンピュータは、単数であってもよく、複数であってもよい。すなわち、集中処理を行ってもよく、あるいは分散処理を行ってもよい。
【０２１３】
図１４は、上記プログラムを実行して、上記実施の形態による照明情報処理装置等を実現するコンピュータの外観の一例を示す模式図である。上記実施の形態は、コンピュータハードウェア及びその上で実行されるコンピュータプログラムによって実現されうる。
【０２１４】
図１４において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５を含むコンピュータ９０１と、キーボード９０２と、マウス９０３と、モニタ９０４とを備える。
【０２１５】
図１５は、コンピュータシステム９００の内部構成を示す図である。図１５において、コンピュータ９０１は、ＣＤ−ＲＯＭドライブ９０５に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮへの接続を提供する図示しないネットワークカードを含んでいてもよい。
【０２１６】
コンピュータシステム９００に、上記実施の形態による照明情報処理装置等の機能を実行させるプログラムは、ＣＤ−ＲＯＭ９２１に記憶されて、ＣＤ−ＲＯＭドライブ９０５に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１、またはネットワークから直接、ロードされてもよい。
【０２１７】
プログラムは、コンピュータ９０１に、上記実施の形態による照明情報処理装置等の機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【０２１８】
本発明は、以上の実施の形態に限定されることなく、種々の変更が可能であり、それらも本発明の範囲内に包含されるものであることは言うまでもない。
【産業上の利用可能性】
【０２１９】
以上のように、本発明にかかる照明情報処理装置等は、照明に関する情報を処理する装置等として適しており、特に、照明装置に関する情報を処理する装置等として有用である。
【符号の説明】
【０２２０】
１、２  照明情報処理システム
１０、１１  照明情報処理装置
２０、２０ａ〜２０ｃ  端末装置
３０、３０ａ〜３０ｃ  照明装置
４０  情報取得装置
８０  情報処理端末
１０１、１２１  受信部
１０２  格納部
１０３  蓄積部
１０４  照明属性格納部
１０５  見守り連絡先格納部
１０６  診断連絡先格納部
１０７  料金連絡先格納部
１０８  処理部
１０９  報奨処理部
１１０  報奨格納部
１１１  出力部
１２２  指示送信部
２０１  端末受信部
２０２  端末送信部
３０１  発光部
３０２  照明取得部
３０３  照明送信部
４０１  稼働情報受信部
４０２  送信要求受信部
４０３  稼働情報送信部
【図１】
2020077455.tif 000003
【図２】
2020077455.tif 000004
【図３】
2020077455.tif 000005
【図４】
2020077455.tif 000006
【図５】
2020077455.tif 000007
【図６】
2020077455.tif 000008
【図７】
2020077455.tif 000009
【図８】
2020077455.tif 000010
【図９】
2020077455.tif 000011
【図１０】
2020077455.tif 000012
【図１１】
2020077455.tif 000013
【図１２】
2020077455.tif 000014
【図１３】
2020077455.tif 000015
【図１４】
2020077455.tif 000016
【図１５】
2020077455.tif 000017